(57)【要約】  本願は、信号伝送方法、端末装置及びネットワーク装置を開示する。前記方法は、ネットワーク装置が、端末装置に同期信号ブロックインデックスを送信することであって、前記同期信号ブロックインデックスが、前記ネットワーク装置が同期信号ブロックを送信するためのターゲット時間位置を示すために用いられることと、前記ネットワーク装置が、前記端末装置に前記同期信号ブロックのビームインデックスを送信することであって、前記ビームインデックスが、前記ネットワーク装置が前記同期信号ブロックを送信するためのビームを示すために用いられることとを含む。従って、アンライセンス帯域において同期信号ブロックを送信する場合、ネットワーク装置は、ビームインデックス（ｂｅａｍ  ｉｎｄｅｘ）によって、前記同期信号ブロックを送信するためのビームを端末装置に示すことができる。端末装置は、前記ビームインデックスに基づいて、前記同期信号ブロックを送信するためのビームを知ることができる。これにより、前記ビームに基づいて、測定を行うことができる。
2021514560.tif 000002
【特許請求の範囲】
【請求項１】
信号伝送方法であって、
ネットワーク装置が、端末装置に同期信号ブロックインデックスを送信することであって、前記同期信号ブロックインデックスが、前記ネットワーク装置が同期信号ブロックを送信するためのターゲット時間位置を示すために用いられることと、
前記ネットワーク装置が、前記端末装置に前記同期信号ブロックのビームインデックスを送信することであって、前記ビームインデックスが、前記ネットワーク装置が前記同期信号ブロックを送信するためのビームを示すために用いられることとを含む、前記方法。
【請求項２】
前記ネットワーク装置が前記端末装置に前記同期信号ブロックのビームインデックスを送信することは、
前記ネットワーク装置が、前記ターゲット時間位置で前記端末装置に前記同期信号ブロックを送信することであって、前記同期信号ブロックによって前記ビームインデックスが搬送されことを含むことを特徴とする
請求項１に記載の方法。
【請求項３】
前記同期信号ブロックが、物理ブロードキャストチャネル（ＰＢＣＨ）を含み、前記ビームインデックスが、前記ＰＢＣＨの情報フィールドによって搬送されることを特徴とする
請求項２に記載の方法。
【請求項４】
前記ネットワーク装置が前記端末装置に前記同期信号ブロックのビームインデックスを送信することは、
前記ネットワーク装置が、前記同期信号ブロックの占用する帯域に隣接する２つの帯域のうちの少なくとも１つの帯域において、前記端末装置に前記ビームインデックスを送信することを含むことを特徴とする
請求項１に記載の方法。
【請求項５】
前記同期信号ブロックの占用する帯域に隣接する前記２つの帯域の帯域幅が同じであることを特徴とする
請求項４に記載の方法。
【請求項６】
前記ネットワーク装置が、前記同期信号ブロックの占用する帯域に隣接する２つの帯域のうちの少なくとも１つの帯域において、前記端末装置に前記ビームインデックスを送信することは、
前記ネットワーク装置が、前記同期信号ブロックの占用する帯域に隣接する２つの帯域のうちの少なくとも１つの帯域において、前記同期信号ブロックの占用する時間領域シンボルのうちの少なくとも１つの時間領域シンボルで、前記端末装置に前記ビームインデックスを送信することを含むことを特徴とする
請求項４又は５に記載の方法。
【請求項７】
前記少なくとも１つの時間領域シンボルは、
前記同期信号ブロックにおいてＰＢＣＨが占用する時間領域シンボルのうちの少なくとも１つの時間領域シンボル、前記同期信号ブロックにおいてプライマリ同期信号（ＰＳＳ）が占用する時間領域シンボル、及び前記同期信号ブロックにおいてセカンダリ同期信号（ＳＳＳ）が占用する時間領域シンボルのうちの少なくとも１つを含むことを特徴とする
請求項６に記載の方法。
【請求項８】
前記ネットワーク装置が前記端末装置に前記同期信号ブロックのビームインデックスを送信することは、
前記ネットワーク装置が、前記同期信号ブロックの占用する時間領域シンボルに隣接する２つの時間領域シンボルのうちの少なくとも１つの時間領域シンボルにおいて、前記端末装置に前記ビームインデックスを送信することを含むことを特徴とする
請求項１に記載の方法。
【請求項９】
前記ネットワーク装置が、前記同期信号ブロックの占用する時間領域シンボルに隣接する２つの時間領域シンボルのうちの少なくとも１つの時間領域シンボルにおいて、前記端末装置に前記ビームインデックスを送信することは、
前記ネットワーク装置が、前記同期信号ブロックの占用する時間領域シンボルに隣接する２つの時間領域シンボルのうちの少なくとも１つの時間領域シンボルにおいて、前記同期信号ブロックの占用する帯域のうちの少なくとも１つの帯域で、前記端末装置に前記ビームインデックスを送信することを含むことを特徴とする
請求項８に記載の方法。
【請求項１０】
前記少なくとも１つの帯域は、
前記同期信号ブロックにおいてＰＢＣＨが占用する最大帯域、前記同期信号ブロックにおいてＰＳＳが占用する帯域、及び前記同期信号ブロックにおいてＳＳＳが占用する帯域のうちの少なくとも１つを含むことを特徴とする
請求項９に記載の方法。
【請求項１１】
前記ネットワーク装置が端末装置に同期信号ブロックインデックスを送信する前に、前記方法は、
前記ネットワーク装置が、前記同期信号ブロックのＭ個の候補時間位置に基づいて、アンライセンス帯域におけるキャリアが空いているか否かをセンシングすることと、
前記ネットワーク装置が、センシング結果に基づいて、前記Ｍ個の候補時間位置から前記ターゲット時間位置を決定することとを更に含むことを特徴とする
請求項１から１０のうちいずれか一項に記載の方法。
【請求項１２】
前記Ｍ個の候補時間位置は、前記同期信号ブロックのＬ個の候補時間位置のうちの少なくとも一部の候補時間位置であり、前記Ｌ個の候補時間位置は、一つの送信周期内における前記同期信号ブロックの全ての候補時間位置であることを特徴とする
請求項１１に記載の方法。
【請求項１３】
前記少なくとも１つの候補時間位置のうちの各候補時間位置の前で、前記ネットワーク装置は、前記いずれもアンライセンス帯域におけるキャリアが空いていることが検出されていることを特徴とする
請求項１２に記載の方法。
【請求項１４】
前記ネットワーク装置が、前記同期信号ブロックのＭ個の候補時間位置に基づいて、アンライセンス帯域におけるキャリアが空いているか否かをセンシングすることは、
前記ネットワーク装置が、Ｎ個の候補時間位置の前で、前記アンライセンス帯域におけるキャリアが空いていることを検出するまで、又は前記Ｍ個の候補時間位置のうちの最後の候補時間位置の前で、前記アンライセンス帯域におけるキャリアをセンシングするまで、前記Ｍ個の候補時間位置のうちの各候補時間位置の前で、前記アンライセンス帯域におけるキャリアが空いているかを順次にセンシングし続け、ここで、Ｎが、前記ネットワーク装置が所望する前記同期信号送信の候補時間位置の数であり、Ｎが、Ｍ以下の正整数であることを含むことを特徴とする
請求項１２又は１３に記載の方法。
【請求項１５】
前記各候補時間位置の前で、キャリアのセンシングを行う時に、前記ネットワーク装置がセンシングする第１ビーム方向は、第２ビーム方向と一致しており、前記第２ビーム方向が、前記各候補時間位置で前記同期信号ブロックを送信する時の所望のビーム送信方向であることを特徴とする
請求項１３又は１４に記載の方法。
【請求項１６】
前記同期信号ブロックを実際に送信するための候補時間位置が、前記ターゲット時間位置を含む複数の時間位置である場合、複数の候補時間位置のうちのいずれか２つの候補時間位置で前記同期信号ブロックを送信する時に、利用される送信ビームが異なることを特徴とする
請求項１１から１５のうちいずれか一項に記載の方法。
【請求項１７】
前記ネットワーク装置が前記同期信号ブロックのＭ個の候補時間位置に基づいて、アンライセンス帯域におけるキャリアが空いているか否かをセンシングすることは、
前記ネットワーク装置が、前記同期信号ブロックの送信周期に従って、前記Ｍ個の候補時間位置に基づいて、前記アンライセンス帯域におけるキャリアに対して周期的にセンシングすることを含むことを特徴とする
請求項１１から１６のうちいずれか一項に記載の方法。
【請求項１８】
前記方法は、
前記ネットワーク装置が、前記Ｍ個の候補時間位置が前記同期信号ブロックに占用されていると仮定するという方式で、前記同期信号ブロック以外のチャネル又は信号に対してレートマッチングすることを更に含むことを特徴とする
請求項１１から１７のうちいずれか一項に記載の方法。
【請求項１９】
信号伝送方法であって、
端末装置が、ネットワーク装置からの同期信号ブロックインデックスを受信することであって、前記同期信号ブロックインデックスが、前記ネットワーク装置が同期信号ブロックを送信するためのターゲット時間位置を示すために用いられることと、
前記端末装置が、前記ネットワーク装置からの前記同期信号ブロックのビームインデックスを受信することであって、前記ビームインデックスが、前記ネットワーク装置が前記同期信号ブロックを送信するためのビームを示すために用いられることとを含む、前記方法。
【請求項２０】
前記端末装置が、前記ネットワーク装置からの前記同期信号ブロックのビームインデックスを受信することは、
前記端末装置が、前記ターゲット時間位置で、前記ネットワーク装置からの前記同期信号ブロックを受信することであって、前記同期信号ブロックによって前記ビームインデックスが搬送されことを含むことを特徴とする
請求項１９に記載の方法。
【請求項２１】
前記同期信号ブロックが、物理ブロードキャストチャネル（ＰＢＣＨ）を含み、前記ビームインデックスが、前記ＰＢＣＨの情報フィールドによって搬送されることを特徴とする
請求項２０に記載の方法。
【請求項２２】
前記端末装置が、前記ネットワーク装置からの前記同期信号ブロックのビームインデックスを受信することは、
前記端末装置が、前記同期信号ブロックの占用する帯域に隣接する２つの帯域のうちの少なくとも１つの帯域において、前記ネットワーク装置からの前記ビームインデックスを受信することを含むことを特徴とする
請求項１９に記載の方法。
【請求項２３】
前記同期信号ブロックの占用する帯域に隣接する前記２つの帯域の帯域幅が同じであることを特徴とする
請求項２２に記載の方法。
【請求項２４】
前記端末装置が、前記同期信号ブロックの占用する帯域に隣接する２つの帯域のうちの少なくとも１つの帯域において、前記ネットワーク装置からの前記ビームインデックスを受信することは、
前記端末装置が、前記同期信号ブロックの占用する帯域に隣接する２つの帯域のうちの少なくとも１つの帯域において、前記同期信号ブロックの占用する時間領域シンボルのうちの少なくとも１つの時間領域シンボルで、前記ネットワーク装置からの前記ビームインデックスを受信することを含むことを特徴とする
請求項２２又は２３に記載の方法。
【請求項２５】
前記少なくとも１つの時間領域シンボルは、
前記同期信号ブロックにおいてＰＢＣＨが占用する時間領域シンボルのうちの少なくとも１つの時間領域シンボル、前記同期信号ブロックにおいてプライマリ同期信号（ＰＳＳ）が占用する時間領域シンボル、及び前記同期信号ブロックにおいてセカンダリ同期信号（ＳＳＳ）が占用する時間領域シンボルのうちの少なくとも１つを含むことを特徴とする
請求項２４に記載の方法。
【請求項２６】
前記端末装置が前記ネットワーク装置からの前記同期信号ブロックのビームインデックスを受信することは、
前記端末装置が、前記同期信号ブロックの占用する時間領域シンボルに隣接する２つの時間領域シンボルのうちの少なくとも１つの時間領域シンボルにおいて、ネットワーク装置からの前記ビームインデックスを受信することを含むことを特徴とする
請求項１９に記載の方法。
【請求項２７】
前記端末装置が、前記同期信号ブロックの占用する時間領域シンボルに隣接する２つの時間領域シンボルのうちの少なくとも１つの時間領域シンボルにおいて、ネットワーク装置からの前記ビームインデックスを受信することは、
前記端末装置が、前記同期信号ブロックの占用する時間領域シンボルに隣接する２つの時間領域シンボルのうちの少なくとも１つの時間領域シンボルにおいて、前記同期信号ブロックの占用する帯域のうちの少なくとも１つの帯域で、前記ネットワーク装置からの前記ビームインデックスを受信することを含むことを特徴とする
請求項２６に記載の方法。
【請求項２８】
前記少なくとも１つの帯域は、
前記同期信号ブロックにおいてＰＢＣＨが占用する最大帯域、前記同期信号ブロックにおいてＰＳＳが占用する帯域、及び前記同期信号ブロックにおいてＳＳＳが占用する帯域のうちの少なくとも１つを含むことを特徴とする
請求項２７に記載の方法。
【請求項２９】
前記方法は、
端末装置が同期信号ブロックのＭ個の候補時間位置を決定することであって、前記Ｍ個の候補時間位置が、前記同期信号ブロックのＬ個の候補時間位置のうちの少なくとも一部の候補時間位置であり、前記Ｌ個の候補時間位置が、一つの送信周期内における前記同期信号ブロックの全ての候補時間位置であることと、
端末装置が、前記Ｍ個の候補時間位置に基づいて、アンライセンス帯域のキャリアにおいて信号受信を行い、Ｍ個の候補時間位置のうちのターゲット時間位置で送信された前記同期信号ブロックを取得することとを更に含むことを特徴とする
請求項１９から２８のうちいずれか一項に記載の方法。
【請求項３０】
前記端末装置が前記Ｍ個の候補時間位置に基づいて、アンライセンス帯域のキャリアにおいて信号受信を行うことは、
Ｎ個の候補時間位置で同期信号ブロックを取得するまで、又は前記Ｍ個の候補時間位置のうちの最後の候補時間位置で同期信号ブロックを検出するまで、前記アンライセンス帯域のキャリアにおいて、前記Ｍ個の候補時間位置のうちの各候補時間位置で前記同期信号ブロックを順次に検出し続け、ここで、Ｎが、前記ネットワーク装置が所望する前記同期信号送信の候補時間位置の数であり、Ｎが、Ｍ以下の正整数であることを含むことを特徴とする
請求項２９に記載の方法。
【請求項３１】
前記端末装置が前記Ｍ個の候補時間位置に基づいて、アンライセンス帯域のキャリアにおいて信号受信を行うことは、
前記端末装置が、前記送信周期に従って、前記Ｍ個の候補時間位置に基づいて、アンライセンス帯域のキャリアにおいて信号受信を周期的に行うことを含むことを特徴とする
請求項２９又は３０に記載の方法。
【請求項３２】
前記方法は、
前記端末装置が、前記Ｍ個の候補時間位置が前記同期信号ブロックに占用されていると仮定するという方式で、前記同期信号ブロック以外のチャネル又は信号に対してレートマッチングすることを更に含むことを特徴とする
請求項２９から３１のうちいずれか一項に記載の方法。
【請求項３３】
ネットワーク装置であって、
端末装置に同期信号ブロックインデックスを送信するように構成される送信ユニットであって、前記同期信号ブロックインデックスが、前記ネットワーク装置が同期信号ブロックを送信するためのターゲット時間位置を示すために用いられる送信ユニットを備え、
前記送信ユニットは更に、前記端末装置に前記同期信号ブロックのビームインデックスを送信するように構成され、前記ビームインデックスが、前記ネットワーク装置が前記同期信号ブロックを送信するためのビームを示すために用いられる、前記ネットワーク装置。
【請求項３４】
前記送信ユニットは具体的には、
前記ターゲット時間位置で前記端末装置に前記同期信号ブロックを送信するように構成され、前記同期信号ブロックによって前記ビームインデックスが搬送されることを特徴とする
請求項３３に記載のネットワーク装置。
【請求項３５】
前記同期信号ブロックが、物理ブロードキャストチャネル（ＰＢＣＨ）を含み、前記ビームインデックスが、前記ＰＢＣＨの情報フィールドによって搬送されることを特徴とする
請求項３４に記載のネットワーク装置。
【請求項３６】
前記送信ユニットは具体的には、
前記同期信号ブロックの占用する帯域に隣接する２つの帯域のうちの少なくとも１つの帯域において、前記端末装置に前記ビームインデックスを送信するように構成されることを特徴とする
請求項３３に記載のネットワーク装置。
【請求項３７】
前記同期信号ブロックの占用する帯域に隣接する前記２つの帯域の帯域幅が同じであることを特徴とする
請求項３６に記載のネットワーク装置。
【請求項３８】
前記送信ユニットは具体的には、
前記同期信号ブロックの占用する帯域に隣接する２つの帯域のうちの少なくとも１つの帯域において、前記同期信号ブロックの占用する時間領域シンボルのうちの少なくとも１つの時間領域シンボルで、前記端末装置に前記ビームインデックスを送信するように構成されることを特徴とする
請求項３６又は３７に記載のネットワーク装置。
【請求項３９】
前記少なくとも１つの時間領域シンボルは、
前記同期信号ブロックにおいてＰＢＣＨが占用する時間領域シンボルのうちの少なくとも１つの時間領域シンボル、前記同期信号ブロックにおいてプライマリ同期信号（ＰＳＳ）が占用する時間領域シンボル、及び前記同期信号ブロックにおいてセカンダリ同期信号（ＳＳＳ）が占用する時間領域シンボルのうちの少なくとも１つを含むことを特徴とする
請求項３８に記載のネットワーク装置。
【請求項４０】
前記送信ユニットは具体的には、
前記同期信号ブロックの占用する時間領域シンボルに隣接する２つの時間領域シンボルのうちの少なくとも１つの時間領域シンボルにおいて、前記端末装置に前記ビームインデックスを送信するように構成されることを特徴とする
請求項３３に記載のネットワーク装置。
【請求項４１】
前記送信ユニットは具体的には、
前記同期信号ブロックの占用する時間領域シンボルに隣接する２つの時間領域シンボルのうちの少なくとも１つの時間領域シンボルにおいて、前記同期信号ブロックの占用する帯域のうちの少なくとも１つの帯域で、前記端末装置に前記ビームインデックスを送信するように構成されることを特徴とする
請求項４０に記載のネットワーク装置。
【請求項４２】
前記少なくとも１つの帯域は、
前記同期信号ブロックにおいてＰＢＣＨが占用する最大帯域、前記同期信号ブロックにおいてＰＳＳが占用する帯域、及び前記同期信号ブロックにおいてＳＳＳが占用する帯域のうちの少なくとも１つを含むことを特徴とする
請求項４１に記載のネットワーク装置。
【請求項４３】
前記ネットワーク装置は、
前記同期信号ブロックのＭ個の候補時間位置に基づいて、アンライセンス帯域におけるキャリアが空いているか否かをセンシングし、
センシング結果に基づいて、前記Ｍ個の候補時間位置から前記ターゲット時間位置を決定するように構成されるセンシングユニットを更に備えることを特徴とする
請求項３３から４２のうちいずれか一項に記載のネットワーク装置。
【請求項４４】
前記Ｍ個の候補時間位置は、前記同期信号ブロックのＬ個の候補時間位置のうちの少なくとも一部の候補時間位置であり、前記Ｌ個の候補時間位置は、一つの送信周期内における前記同期信号ブロックの全ての候補時間位置であることを特徴とする
請求項４３に記載のネットワーク装置。
【請求項４５】
前記少なくとも１つの候補時間位置のうちの各候補時間位置の前で、前記ネットワーク装置は、前記いずれもアンライセンス帯域におけるキャリアが空いていることが検出されていることを特徴とする
請求項４４に記載のネットワーク装置。
【請求項４６】
前記センシングユニットは具体的には、
Ｎ個の候補時間位置の前で、前記アンライセンス帯域におけるキャリアが空いていることを検出するまで、又は前記Ｍ個の候補時間位置のうちの最後の候補時間位置の前で、前記アンライセンス帯域におけるキャリアをセンシングするまで、前記Ｍ個の候補時間位置のうちの各候補時間位置の前で、前記アンライセンス帯域におけるキャリアが空いているかを順次にセンシングし続けるように構成され、ここで、Ｎが、前記ネットワーク装置が所望する前記同期信号送信の候補時間位置の数であり、Ｎが、Ｍ以下の正整数であることを特徴とする
請求項４４又は４５に記載のネットワーク装置。
【請求項４７】
前記各候補時間位置の前で、キャリアのセンシングを行う時に、前記ネットワーク装置がセンシングする第１ビーム方向は、第２ビーム方向と一致しており、前記第２ビーム方向が、前記各候補時間位置で前記同期信号ブロックを送信する時の所望のビーム送信方向であることを特徴とする
請求項４５又は４６に記載のネットワーク装置。
【請求項４８】
前記同期信号ブロックを実際に送信するための候補時間位置が、前記ターゲット時間位置を含む複数の時間位置である場合、複数の候補時間位置のうちのいずれか２つの候補時間位置で前記同期信号ブロックを送信する時に、利用される送信ビームが異なることを特徴とする
請求項４３から４７のうちいずれか一項に記載のネットワーク装置。
【請求項４９】
前記センシングユニットは具体的には、
前記ネットワーク装置が、前記同期信号ブロックの送信周期に従って、前記Ｍ個の候補時間位置に基づいて、前記アンライセンス帯域におけるキャリアに対して周期的にセンシングするように構成されることを特徴とする
請求項４３から４８のうちいずれか一項に記載のネットワーク装置。
【請求項５０】
前記ネットワーク装置は
前記Ｍ個の候補時間位置が前記同期信号ブロックに占用されていると仮定するという方式で、前記同期信号ブロック以外のチャネル又は信号に対してレートマッチングするように構成される処理ユニットを更に備えることを特徴とする
請求項４３から４９のうちいずれか一項に記載のネットワーク装置。
【請求項５１】
端末装置であって、
ネットワーク装置からの同期信号ブロックインデックスを受信するように構成される受信ユニットであって、前記同期信号ブロックインデックスが、前記ネットワーク装置が同期信号ブロックを送信するためのターゲット時間位置を示すために用いられる受信ユニットを備え、
前記受信ユニットは更に、前記ネットワーク装置からの前記同期信号ブロックのビームインデックスを受信するように構成され、前記ビームインデックスが、前記ネットワーク装置が前記同期信号ブロックを送信するためのビームを示すために用いられる、前記端末装置。
【請求項５２】
前記受信ユニットは具体的には、
前記ターゲット時間位置で、前記ネットワーク装置からの前記同期信号ブロックを受信し、前記同期信号ブロックによって前記ビームインデックスが搬送されように構成されることを特徴とする
請求項５１に記載の端末装置。
【請求項５３】
前記同期信号ブロックが、物理ブロードキャストチャネル（ＰＢＣＨ）を含み、前記ビームインデックスが、前記ＰＢＣＨの情報フィールドによって搬送されることを特徴とする
請求項５２に記載の端末装置。
【請求項５４】
前記受信ユニットは具体的には、
前記同期信号ブロックの占用する帯域に隣接する２つの帯域のうちの少なくとも１つの帯域において、前記ネットワーク装置からの前記ビームインデックスを受信するように構成されることを特徴とする
請求項５１に記載の端末装置。
【請求項５５】
前記同期信号ブロックの占用する帯域に隣接する前記２つの帯域の帯域幅が同じであることを特徴とする
請求項５４に記載の端末装置。
【請求項５６】
前記受信ユニットは具体的には、
前記同期信号ブロックの占用する帯域に隣接する２つの帯域のうちの少なくとも１つの帯域において、前記同期信号ブロックの占用する時間領域シンボルのうちの少なくとも１つの時間領域シンボルで、前記ネットワーク装置からの前記ビームインデックスを受信するように構成されることを特徴とする
請求項５４又は５５に記載の端末装置。
【請求項５７】
前記少なくとも１つの時間領域シンボルは、
前記同期信号ブロックにおいてＰＢＣＨが占用する時間領域シンボルのうちの少なくとも１つの時間領域シンボル、前記同期信号ブロックにおいてプライマリ同期信号（ＰＳＳ）が占用する時間領域シンボル、及び前記同期信号ブロックにおいてセカンダリ同期信号（ＳＳＳ）が占用する時間領域シンボルのうちの少なくとも１つを含むことを特徴とする
請求項５６に記載の端末装置。
【請求項５８】
前記受信ユニットは具体的には、
前記同期信号ブロックの占用する時間領域シンボルに隣接する２つの時間領域シンボルのうちの少なくとも１つの時間領域シンボルにおいて、ネットワーク装置からの前記ビームインデックスを受信するように構成されることを特徴とする
請求項５１に記載の端末装置。
【請求項５９】
前記受信ユニットは具体的には、
前記同期信号ブロックの占用する時間領域シンボルに隣接する２つの時間領域シンボルのうちの少なくとも１つの時間領域シンボルにおいて、前記同期信号ブロックの占用する帯域のうちの少なくとも１つの帯域で、前記ネットワーク装置からの前記ビームインデックスを受信するように構成されることを特徴とする
請求項５８に記載の端末装置。
【請求項６０】
前記少なくとも１つの帯域は、
前記同期信号ブロックにおいてＰＢＣＨが占用する最大帯域、前記同期信号ブロックにおいてＰＳＳが占用する帯域、及び前記同期信号ブロックにおいてＳＳＳが占用する帯域のうちの少なくとも１つを含むことを特徴とする
請求項５９に記載の端末装置。
【請求項６１】
前記端末装置は、
同期信号ブロックのＭ個の候補時間位置を決定するように構成される決定ユニットであって、前記Ｍ個の候補時間位置が、前記同期信号ブロックのＬ個の候補時間位置のうちの少なくとも一部の候補時間位置であり、前記Ｌ個の候補時間位置が、一つの送信周期内における前記同期信号ブロックの全ての候補時間位置である決定ユニットを更に備え、
ここで、前記受信ユニットは更に、前記決定ユニットにより決定された前記Ｍ個の候補時間位置に基づいて、アンライセンス帯域のキャリアにおいて信号受信を行い、Ｍ個の候補時間位置のうちのターゲット時間位置で送信された前記同期信号ブロックを取得するように構成されることを特徴とする
請求項５１から６０のうちいずれか一項に記載の端末装置。
【請求項６２】
前記受信ユニットは具体的には、
Ｎ個の候補時間位置で同期信号ブロックを取得するまで、又は前記Ｍ個の候補時間位置のうちの最後の候補時間位置で同期信号ブロックを検出するまで、前記アンライセンス帯域のキャリアにおいて、前記Ｍ個の候補時間位置のうちの各候補時間位置で前記同期信号ブロックを順次に検出し続けるように構成され、ここで、Ｎが、前記ネットワーク装置が所望する前記同期信号送信の候補時間位置の数であり、Ｎが、Ｍ以下の正整数であることを特徴とする
請求項６１に記載の端末装置。
【請求項６３】
前記受信ユニットは具体的には、
前記送信周期に従って、前記Ｍ個の候補時間位置に基づいて、アンライセンス帯域のキャリアにおいて信号受信を周期的に行うように構成されることを特徴とする
請求項６１又は６２に記載の端末装置。
【請求項６４】
前記端末装置は、
前記Ｍ個の候補時間位置が前記同期信号ブロックに占用されていると仮定するという方式で、前記同期信号ブロック以外のチャネル又は信号に対してレートマッチングするように構成される処理ユニットを更に備えることを特徴とする
請求項６１から６３のうちいずれか一項に記載の端末装置。
【発明の詳細な説明】
【技術分野】
【０００１】
本出願の実施例は、無線通信分野に関し、より具体的には、信号伝送方法、端末装置及びネットワーク装置に関する。
【背景技術】
【０００２】
５Ｇシステム又は新しい無線（Ｎｅｗ  Ｒａｄｉｏ：ＮＲ）システムにおいて、ネットワーク装置は、同期信号ブロック（Ｓｙｎｃｈｒｏｎｏｕｓ  Ｓｉｇｎａｌ  Ｂｌｏｃｋ：ＳＳ  Ｂｌｏｃｋ又はＳＳＢ）を端末装置に送信することができる。前記同期信号ブロックは、プライマリ同期信号ブロック（Ｐｒｉｍａｒｙ  Ｓｙｎｃｈｒｏｎｏｕｓ  Ｓｉｇｎａｌ：ＰＳＳ）、セカンダリ同期信号（Ｓｅｃｏｎｄａｒｙ  Ｓｙｎｃｈｒｏｎｏｕｓ  Ｓｉｇｎａｌ：ＳＳＳ）及び物理ブロードキャストチャネル（Ｐｈｙｓｉｃａｌ  Ｂｒｏａｄｃａｓｔｉｎｇ  Ｃｈａｎｎｅｌ：ＰＢＣＨ）を含んでもよい。
【０００３】
ＮＲシステムにおいて、ネットワーク装置と端末装置とは、アンライセンス帯域によって通信を行うことができる。
【０００４】
ＮＲシステムにおいて、アンライセンス帯域で同期信号ブロックの伝送を如何に行うかは、早急に解決しなければならない課題である。
【発明の概要】
【発明が解決しようとする課題】
【０００５】
本出願の実施例は、アンライセンス帯域における同期信号ブロックの伝送を実現させることができる信号伝送方法、端末装置及びネットワーク装置を提供する。
【課題を解決するための手段】
【０００６】
第１態様によれば、信号伝送方法を提供する。前記方法は、ネットワーク装置が、端末装置に同期信号ブロックインデックスを送信することであって、前記同期信号ブロックインデックスが、前記ネットワーク装置が同期信号ブロックを送信するためのターゲット時間位置を示すために用いられることと、前記ネットワーク装置が、前記端末装置に前記同期信号ブロックのビームインデックスを送信することであって、前記ビームインデックスが、前記ネットワーク装置が前記同期信号ブロックを送信するためのビームを示すために用いられることとを含む。
【０００７】
従って、アンライセンス帯域において同期信号ブロックを送信する場合、ネットワーク装置は、ビームインデックス（ｂｅａｍ  ｉｎｄｅｘ）を用いて、前記同期信号ブロックを送信するためのビームを端末装置に示す。従って、端末装置は、前記ビームインデックスによれば、前記ビームインデックスにより示された前記同期信号ブロックの送信用ビームに基づいて関連測定を行うことができる。例えば、各測定周期は、少なくとも１つの送信周期を含んでもよい。端末装置は、複数の測定周期における複数の送信周期中の同じ送信ビームを有する同期信号ブロックの測定結果を平均化することができる。
【０００８】
一つの可能な実現形態において、前記ネットワーク装置が前記端末装置に前記同期信号ブロックのビームインデックスを送信することは、前記ネットワーク装置が、前記ターゲット時間位置で前記端末装置に前記同期信号ブロックを送信することであって、前記同期信号ブロックによって前記ビームインデックスが搬送されことを含む。
【０００９】
一つの可能な実現形態において、前記同期信号ブロックが、物理ブロードキャストチャネル（ＰＢＣＨ）を含み、前記ビームインデックスが、前記ＰＢＣＨの情報フィールドによって搬送される。
【００１０】
一つの可能な実現形態において、前記ネットワーク装置が前記端末装置に前記同期信号ブロックのビームインデックスを送信することは、前記ネットワーク装置が、前記同期信号ブロックの占用する帯域に隣接する２つの帯域のうちの少なくとも１つの帯域において、前記端末装置に前記ビームインデックスを送信することを含む。
【００１１】
一つの可能な実現形態において、前記同期信号ブロックの占用する帯域に隣接する前記２つの帯域の帯域幅が同じである。
【００１２】
一つの可能な実現形態において、前記ネットワーク装置が、前記同期信号ブロックの占用する帯域に隣接する２つの帯域のうちの少なくとも１つの帯域において、前記端末装置に前記ビームインデックスを送信することは、前記ネットワーク装置が、前記同期信号ブロックの占用する帯域に隣接する２つの帯域のうちの少なくとも１つの帯域において、前記同期信号ブロックの占用する時間領域シンボルのうちの少なくとも１つの時間領域シンボルで、前記端末装置に前記ビームインデックスを送信することを含む。
【００１３】
一つの可能な実現形態において、前記少なくとも１つの時間領域シンボルは、前記同期信号ブロックにおいてＰＢＣＨが占用する時間領域シンボルのうちの少なくとも１つの時間領域シンボル、前記同期信号ブロックにおいてプライマリ同期信号（ＰＳＳ）が占用する時間領域シンボル、及び前記同期信号ブロックにおいてセカンダリ同期信号（ＳＳＳ）が占用する時間領域シンボルのうちの少なくとも１つを含む。
【００１４】
一つの可能な実現形態において、前記ネットワーク装置が前記端末装置に前記同期信号ブロックのビームインデックスを送信することは、前記ネットワーク装置が、前記同期信号ブロックの占用する時間領域シンボルに隣接する２つの時間領域シンボルのうちの少なくとも１つの時間領域シンボルにおいて、前記端末装置に前記ビームインデックスを送信することを含む。
【００１５】
一つの可能な実現形態において、前記ネットワーク装置が、前記同期信号ブロックの占用する時間領域シンボルに隣接する２つの時間領域シンボルのうちの少なくとも１つの時間領域シンボルにおいて、前記端末装置に前記ビームインデックスを送信することは、前記ネットワーク装置が、前記同期信号ブロックの占用する時間領域シンボルに隣接する２つの時間領域シンボルのうちの少なくとも１つの時間領域シンボルにおいて、前記同期信号ブロックの占用する帯域のうちの少なくとも１つの帯域で、前記端末装置に前記ビームインデックスを送信することを含む。
【００１６】
一つの可能な実現形態において、前記少なくとも１つの帯域は、前記同期信号ブロックにおいてＰＢＣＨが占用する最大帯域、前記同期信号ブロックにおいてＰＳＳが占用する帯域、及び前記同期信号ブロックにおいてＳＳＳが占用する帯域のうちの少なくとも１つを含む。
【００１７】
一つの可能な実現形態において、前記ネットワーク装置が端末装置に同期信号ブロックインデックスを送信する前に、前記方法は、前記ネットワーク装置が、前記同期信号ブロックのＭ個の候補時間位置に基づいて、アンライセンス帯域におけるキャリアが空いているか否かをセンシングすることと、前記ネットワーク装置が、センシング結果に基づいて、前記Ｍ個の候補時間位置から前記ターゲット時間位置を決定することとを更に含む。
【００１８】
一つの可能な実現形態において、前記Ｍ個の候補時間位置は、前記同期信号ブロックのＬ個の候補時間位置のうちの少なくとも一部の候補時間位置であり、前記Ｌ個の候補時間位置は、一つの送信周期内における前記同期信号ブロックの全ての候補時間位置である。
【００１９】
一つの可能な実現形態において、前記少なくとも１つの候補時間位置のうちの各候補時間位置の前で、前記ネットワーク装置は、前記いずれもアンライセンス帯域におけるキャリアが空いていることが検出されている。
【００２０】
一つの可能な実現形態において、前記ネットワーク装置が、前記同期信号ブロックのＭ個の候補時間位置に基づいて、アンライセンス帯域におけるキャリアが空いているか否かをセンシングすることは、前記ネットワーク装置が、Ｎ個の候補時間位置の前で、前記アンライセンス帯域におけるキャリアが空いていることを検出するまで、又は前記Ｍ個の候補時間位置のうちの最後の候補時間位置の前で、前記アンライセンス帯域におけるキャリアをセンシングするまで、前記Ｍ個の候補時間位置のうちの各候補時間位置の前で、前記アンライセンス帯域におけるキャリアが空いているかを順次にセンシングし続け、ここで、Ｎが、前記ネットワーク装置が所望する前記同期信号送信の候補時間位置の数であり、Ｎが、Ｍ以下の正整数であることを含む。
【００２１】
一つの可能な実現形態において、前記各候補時間位置の前で、キャリアのセンシングを行う時に、前記ネットワーク装置がセンシングする第１ビーム方向は、第２ビーム方向と一致しており、前記第２ビーム方向が、前記各候補時間位置で前記同期信号ブロックを送信する時の所望のビーム送信方向である。
【００２２】
一つの可能な実現形態において、前記同期信号ブロックを実際に送信するための候補時間位置が、前記ターゲット時間位置を含む複数の時間位置である場合、複数の候補時間位置のうちのいずれか２つの候補時間位置で前記同期信号ブロックを送信する時に、利用される送信ビームが異なる。
【００２３】
一つの可能な実現形態において、前記ネットワーク装置が前記同期信号ブロックのＭ個の候補時間位置に基づいて、アンライセンス帯域におけるキャリアが空いているか否かをセンシングすることは、前記ネットワーク装置が、前記同期信号ブロックの送信周期に従って、前記Ｍ個の候補時間位置に基づいて、前記アンライセンス帯域におけるキャリアに対して周期的にセンシングすることを含む。
【００２４】
一つの可能な実現形態において、前記方法は、前記ネットワーク装置が、前記Ｍ個の候補時間位置が前記同期信号ブロックに占用されていると仮定するという方式で、前記同期信号ブロック以外のチャネル又は信号に対してレートマッチングすることを更に含む。
【００２５】
第２態様によれば、信号伝送方法を提供する。前記方法は、端末装置が、ネットワーク装置からの同期信号ブロックインデックスを受信することであって、前記同期信号ブロックインデックスが、前記ネットワーク装置が同期信号ブロックを送信するためのターゲット時間位置を示すために用いられることと、前記端末装置が、前記ネットワーク装置からの前記同期信号ブロックのビームインデックスを受信することであって、前記ビームインデックスが、前記ネットワーク装置が前記同期信号ブロックを送信するためのビームを示すために用いられることとを含む。
【００２６】
従って、アンライセンス帯域において同期信号ブロックを送信する場合、ネットワーク装置は、ビームインデックス（ｂｅａｍ  ｉｎｄｅｘ）を用いて、前記同期信号ブロックを送信するためのビームを端末装置に示す。従って、前記ビームインデックスにより示された前記同期信号ブロックの送信ビームに基づいて関連測定を行う。例えば、各測定周期は、少なくとも１つの送信周期を含んでもよい。端末装置は、複数の測定周期における複数の送信周期中の同じ送信ビームを有する同期信号ブロックの測定結果を平均化することができる。
【００２７】
一つの可能な実現形態において、前記端末装置が、前記ネットワーク装置からの前記同期信号ブロックのビームインデックスを受信することは、前記端末装置が、前記ターゲット時間位置で、前記ネットワーク装置からの前記同期信号ブロックを受信することであって、前記同期信号ブロックによって前記ビームインデックスが搬送されことを含む。
【００２８】
一つの可能な実現形態において、前記同期信号ブロックが、物理ブロードキャストチャネル（ＰＢＣＨ）を含み、前記ビームインデックスが、前記ＰＢＣＨの情報フィールドによって搬送される。
【００２９】
一つの可能な実現形態において、前記端末装置が、前記ネットワーク装置からの前記同期信号ブロックのビームインデックスを受信することは、前記端末装置が、前記同期信号ブロックの占用する帯域に隣接する２つの帯域のうちの少なくとも１つの帯域において、前記ネットワーク装置からの前記ビームインデックスを受信することを含む。
【００３０】
一つの可能な実現形態において、前記同期信号ブロックの占用する帯域に隣接する前記２つの帯域の帯域幅が同じである。
【００３１】
一つの可能な実現形態において、前記端末装置が、前記同期信号ブロックの占用する帯域に隣接する２つの帯域のうちの少なくとも１つの帯域において、前記ネットワーク装置からの前記ビームインデックスを受信することは、前記端末装置が、前記同期信号ブロックの占用する帯域に隣接する２つの帯域のうちの少なくとも１つの帯域において、前記同期信号ブロックの占用する時間領域シンボルのうちの少なくとも１つの時間領域シンボルで、前記ネットワーク装置からの前記ビームインデックスを受信することを含む。
【００３２】
一つの可能な実現形態において、前記少なくとも１つの時間領域シンボルは、前記同期信号ブロックにおいてＰＢＣＨが占用する時間領域シンボルのうちの少なくとも１つの時間領域シンボル、前記同期信号ブロックにおいてプライマリ同期信号（ＰＳＳ）が占用する時間領域シンボル、及び前記同期信号ブロックにおいてセカンダリ同期信号（ＳＳＳ）が占用する時間領域シンボルのうちの少なくとも１つを含む。
【００３３】
一つの可能な実現形態において、前記端末装置が前記ネットワーク装置からの前記同期信号ブロックのビームインデックスを受信することは、前記端末装置が、前記同期信号ブロックの占用する時間領域シンボルに隣接する２つの時間領域シンボルのうちの少なくとも１つの時間領域シンボルにおいて、ネットワーク装置からの前記ビームインデックスを受信することを含む。
【００３４】
一つの可能な実現形態において、前記端末装置が、前記同期信号ブロックの占用する時間領域シンボルに隣接する２つの時間領域シンボルのうちの少なくとも１つの時間領域シンボルにおいて、ネットワーク装置からの前記ビームインデックスを受信することは、前記端末装置が、前記同期信号ブロックの占用する時間領域シンボルに隣接する２つの時間領域シンボルのうちの少なくとも１つの時間領域シンボルにおいて、前記同期信号ブロックの占用する帯域のうちの少なくとも１つの帯域で、前記ネットワーク装置からの前記ビームインデックスを受信することを含む。
【００３５】
一つの可能な実現形態において、前記少なくとも１つの帯域は、前記同期信号ブロックにおいてＰＢＣＨが占用する最大帯域、前記同期信号ブロックにおいてＰＳＳが占用する帯域、及び前記同期信号ブロックにおいてＳＳＳが占用する帯域のうちの少なくとも１つを含む。
【００３６】
一つの可能な実現形態において、前記方法は、端末装置が同期信号ブロックのＭ個の候補時間位置を決定することであって、前記Ｍ個の候補時間位置が、前記同期信号ブロックのＬ個の候補時間位置のうちの少なくとも一部の候補時間位置であり、前記Ｌ個の候補時間位置が、一つの送信周期内における前記同期信号ブロックの全ての候補時間位置であることと、端末装置が、前記Ｍ個の候補時間位置に基づいて、アンライセンス帯域のキャリアにおいて信号受信を行い、Ｍ個の候補時間位置のうちのターゲット時間位置で送信された前記同期信号ブロックを取得することとを更に含む。
【００３７】
一つの可能な実現形態において、前記端末装置が前記Ｍ個の候補時間位置に基づいて、アンライセンス帯域のキャリアにおいて信号受信を行うことは、Ｎ個の候補時間位置で同期信号ブロックを取得するまで、又は前記Ｍ個の候補時間位置のうちの最後の候補時間位置で同期信号ブロックを検出するまで、前記アンライセンス帯域のキャリアにおいて、前記Ｍ個の候補時間位置のうちの各候補時間位置で前記同期信号ブロックを順次に検出し続け、ここで、Ｎが、前記ネットワーク装置が所望する前記同期信号送信の候補時間位置の数であり、Ｎが、Ｍ以下の正整数であることを含む。
【００３８】
一つの可能な実現形態において、前記端末装置が前記Ｍ個の候補時間位置に基づいて、アンライセンス帯域のキャリアにおいて信号受信を行うことは、前記端末装置が、前記送信周期に従って、前記Ｍ個の候補時間位置に基づいて、アンライセンス帯域のキャリアにおいて信号受信を周期的に行うことを含む。
【００３９】
一つの可能な実現形態において、前記方法は、前記端末装置が、前記Ｍ個の候補時間位置が前記同期信号ブロックに占用されていると仮定するという方式で、前記同期信号ブロック以外のチャネル又は信号に対してレートマッチングすることを更に含む。
【００４０】
第３態様によれば、端末装置を提供する。前記端末装置は、上記第１態様又は第１態様の任意選択的な実施形態における端末装置の操作を実行することができる。具体的には、前記端末装置は、上記第１態様又は第１態様の任意選択的な実施形態における端末装置の操作を実行するためのモジュールユニットを備えることができる。
【００４１】
第４態様によれば、ネットワーク装置を提供する。前記ネットワーク装置は、上記第２態様又は第２態様の任意選択的な実施形態におけるネットワーク装置の操作を実行することができる。具体的には、前記ネットワーク装置は、上記第２態様又は第２態様の任意選択的な実施形態におけるネットワーク装置の操作を実行するためのモジュールユニットを備えることができる。
【００４２】
第５態様によれば、端末装置を提供する。前記端末装置は、プロセッサと、送受信機と、メモリとを備える。ここで、前記プロセッサ、送受信機及びメモリは、内部接続通路を介して相互通信する。前記メモリは、命令を記憶するためのものであり、前記プロセッサは、前記メモリに記憶されている命令を実行するためのものである。前記プロセッサが前記メモリに記憶されている命令を実行する時、前記端末装置が第１態様又は第１態様における任意選択的な実施形態における方法を実行するようにするか、又は、前記端末装置が第３態様で提供される端末装置を実現させるようにする。
【００４３】
第６態様によれば、ネットワーク装置を提供する。前記ネットワーク装置は、プロセッサと、送受信機と、メモリとを備える。ここで、前記プロセッサ、送受信機及びメモリは、内部接続通路を介して相互通信する。前記メモリは、命令を記憶するためのものであり、前記プロセッサは、前記メモリに記憶されている命令を実行するためのものである。前記プロセッサが前記メモリに記憶されている命令を実行する時、前記ネットワーク装置が第２態様又は第２態様における任意選択的な実施形態における方法を実行するようにするか、又は、前記ネットワーク装置が第４態様で提供されるネットワーク装置を実現させるようにする。
【００４４】
第７態様によれば、コンピュータ可読記憶媒体を提供する。前記コンピュータ可読記憶媒体にプログラムが記憶されている。前記プログラムは、端末装置に、上記第１態様及びその様々な実施形態におけるいずれかの信号伝送方法を実行させる。
【００４５】
第８態様によれば、コンピュータ可読記憶媒体を提供する。前記コンピュータ可読記憶媒体にプログラムが記憶されている。前記プログラムは、ネットワーク装置に、上記第２態様及びその様々な実施形態におけるいずれかの信号伝送方法を実行させる。
【００４６】
第９態様によれば、システムオンチップを提供する。前記システムオンチップは、入力インタフェースと、出力インタフェースと、プロセッサと、メモリとを備え、前記プロセッサは、前記メモリに記憶されている命令を実行するためのものであり、前記命令が実行される時、前記プロセッサは、前記第１態様又は第１態様の任意選択的な実施形態における方法を実現させることができる。
【００４７】
第１０態様によれば、システムオンチップを提供する。前記システムオンチップは、入力インタフェースと、出力インタフェースと、プロセッサと、メモリとを備え、前記プロセッサは、前記メモリに記憶されている命令を実行するためのものであり、前記命令が実行される時、前記プロセッサは、前記第２態様又は第２態様の任意選択的な実施形態における方法を実現させることができる。
【００４８】
第１１態様によれば、命令を含むコンピュータプログラム製品を提供する。前記コンピュータプログラム製品がコンピュータ上で実行される時、前記コンピュータに、上記第１態様又は第１態様の任意選択的な実施形態における方法を実行させる。
【００４９】
第１２態様によれば、命令を含むコンピュータプログラム製品を提供する。前記コンピュータプログラム製品がコンピュータ上で実行される時、前記コンピュータに、上記第２態様又は第２態様の任意選択的な実施形態における方法を実行させる。
【図面の簡単な説明】
【００５０】
【図１】本出願の実施例による無線通信システムを示す概略図である。
【図２】本出願の実施例による同期信号ブロック分布を示す模式的フローチャートである。
【図３】本出願の実施例による同期信号ブロック分布を示す模式的フローチャートである。
【図４】本出願の実施例による信号伝送方法を示す模式的フローチャートである。
【図５（ａ）】本出願の実施例によるビームインデックス送信のためのリソースを示す概略図である。
【図５（ｂ）】本出願の実施例によるビームインデックス送信のためのリソースを示す概略図である。
【図６（ａ）】本出願の実施例によるビームインデックス送信のためのリソースを示す概略図である。
【図６（ｂ）】本出願の実施例によるビームインデックス送信のためのリソースを示す概略図である。
【図７（ａ）】本出願の実施例によるビームインデックス送信のためのリソースを示す概略図である。
【図７（ｂ）】本出願の実施例によるビームインデックス送信のためのリソースを示す概略図である。
【図８（ａ）】本出願の実施例によるビームインデックス送信のためのリソースを示す概略図である。
【図８（ｂ）】本出願の実施例によるビームインデックス送信のためのリソースを示す概略図である。
【図９】本出願の別の実施例による信号伝送方法を示す模式的フローチャートである。
【図１０】本出願の実施例によるネットワーク装置を示す模式的ブロック図である。
【図１１】本出願の実施例による端末装置を示す模式的ブロック図である。
【図１２】本出願の実施例によるシステムオンチップを示す模式的ブロック図である。
【図１３】本出願の実施例による通信装置を示す模式的ブロック図である。
【発明を実施するための形態】
【００５１】
本出願の実施例の技術的解決手段は、例えばグローバルモバイル通信（Ｇｌｏｂａｌ  Ｓｙｓｔｅｍ  ｏｆ  Ｍｏｂｉｌｅ  Ｃｏｍｍｕｎｉｃａｔｉｏｎ：「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ：「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｒ  Ｒａｄｉｏ  Ｓｅｒｖｉｃｅ：「ＧＰＲＳ」と略称）、長期的進化（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム又は将来の５Ｇシステムといった種々の通信システムに適用されてもよい。
【００５２】
図１は、本出願の実施例における無線通信システム１００を示す。前記無線通信システム１００は、ネットワーク装置１１０を備えてもよい。ネットワーク装置１００は端末装置と通信を行う装置であってもよい。ネットワーク装置１００は、特定の地理的エリアに対して通信カバレッジを提供し、且つ前記カバレッジ内に位置する端末装置（例えばＵＥ）と通信を行うことができる。任意選択的に、前記ネットワーク装置１００は、ＧＳＭシステム又はＣＤＭＡシステムにおける基地局（Ｂａｓｅ  Ｔｒａｎｓｃｅｉｖｅｒ  Ｓｔａｔｉｏｎ：ＢＴＳ）であってもよいし、ＷＣＤＭＡシステムにおける基地局（ＮｏｄｅＢ：ＮＢ）であってもよく、また、ＬＴＥシステムにおける進化型基地局（Ｅｖｏｌｕｔｉｏｎａｌ  ＮｏｄｅＢ：ｅＮＢ又はｅＮｏｄｅＢ）であってもよく、更にクラウド無線アクセスネットワーク（Ｃｌｏｕｄ  Ｒａｄｉｏ  Ａｃｃｅｓｓ  Ｎｅｔｗｏｒｋ：ＣＲＡＮ）における無線コントローラであってもよい。又は、前記ネットワーク装置は、中継局、アクセスポイント、車載装置、ウェアラブル装置、将来の５Ｇシステムにおけるネットワーク装置又は将来の進化型公衆地上移動体ネットワーク（Ｐｕｂｌｉｃ  Ｌａｎｄ  Ｍｏｂｉｌｅ  Ｎｅｔｗｏｒｋ：ＰＬＭＮ）における端末装置等であってもよい。
【００５３】
前記無線通信システム１００は、ネットワーク装置１１０のカバレッジ内に位置する少なくとも１つの端末装置１２０を更に備える。端末装置１２０は、移動型であっても固定型であってもよい。任意選択的に、端末装置１２０は、アクセス端末、ユーザ装置（Ｕｓｅｒ  Ｅｑｕｉｐｍｅｎｔ：ＵＥ）、ユーザユニット、ユーザ局、移動ステーション、移動局、遠隔局、遠隔端末、移動装置、ユーザ端末、端末、無線通信装置、ユーザ用エージェント又はユーザ装置であってもよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ：ＳＩＰ）電話、ワイヤレスローカルループ（Ｗｉｒｅｌｅｓｓ  Ｌｏｃａｌ  Ｌｏｏｐ：ＷＬＬ）局、パーソナルデジタルアシスタント（Ｐｅｒｓｏｎａｌ  Ｄｉｇｉｔａｌ  Ａｓｓｉｓｔａｎｔ：ＰＤＡ）、無線通信機能を有するハンドヘルド装置、計算装置又は無線モデムに接続される他の処理装置、車載装置、ウェアラブル装置、将来の５Ｇシステムにおける端末装置又は将来の進化型ＰＬＭＮにおける端末装置等であってもよい。
【００５４】
任意選択的に、端末装置１２０同士は、デバイスツーデバイス（Ｄｅｖｉｃｅ  ｔｏ  Ｄｅｖｉｃｅ：Ｄ２Ｄ）通信を行うことができる。
【００５５】
任意選択的に、５Ｇシステム又はネットワークは、新しい無線（Ｎｅｗ  Ｒａｄｉｏ：ＮＲ）システム又はネットワークと呼ばれてもよい。
【００５６】
図１は、１つのネットワーク装置及び２つの端末装置を例示的に示す。任意選択的に、前記無線通信システム１００は、複数のネットワーク装置を備えてもよく、また各ネットワークのカバレッジに、他の数の端末装置が含まれてもよく、本発明の実施例はこれを限定するものではない。
【００５７】
任意選択的に、前記無線通信システム１００は、ネットワークコントローラ、移動管理エンティティ等の他のネットワークエンティティを備えてもよく、本発明は、これを限定するものではない。
【００５８】
本明細書において、用語「システム」と「ネットワーク」とは、多くの場合に交換可能に使用されることが理解されるべきである。本明細書において、用語「及び／又は」は、関連対象の関連関係を説明するためのものであり、３通りの関係が存在することを表す。例えば、Ａ及び／又はＢは、Ａのみが存在すること、ＡとＢが同時に存在すること、Ｂのみが存在するという３つの場合を表す。また、本明細書において、文字「／」は、一般的に、前後の関連対象が、「又は」の関係であることを表す。
【００５９】
同期信号ブロック（ｓｙｎｃｈｒｏｎｏｕｓ  Ｓｉｇｎａｌ  Ｂｌｏｃｋ：ＳＳ  Ｂｌｏｃｋ又はＳＳＢ）は周期的に伝送され、ＳＳ  Ｂｌｏｃｋ周期内において、所定の周波数点のＳＳバーストセット（ＳＳ  ｂｕｒｓｔ  ｓｅｔ）は５ｍｓの時間窓内に制限されてもよく、最大のＳＳ  Ｂｌｏｃｋ数（即ち、同期信号ブロックの候補時間位置）はＬであり、ただし、
３ＧＨｚ以内の周波数領域範囲内の場合、Ｌ＝４である。
【００６０】
３ＧＨｚから６ＧＨｚまでの周波数領域範囲内の場合、Ｌ＝８である。
【００６１】
６ＧＨｚから５２．６ＧＨｚまでの周波数領域範囲内の場合、Ｌ＝６４である。
【００６２】
ここで、５ｍｓの的時間窓内において、異なるサブキャリア間隔及び異なる動作帯域に関して、ＳＳ  Ｂｌｏｃｋのタイムスロット分布は図２に示すとおりである。ここで、線で充填された各ブロックは、１つのタイムスロットであってもよい。
【００６３】
ここで、図２における第１行目は、サブキャリア間隔が１５ＫＨＺであって、Ｌ＝４である場合のＳＳ  Ｂｌｏｃｋのタイムスロット分布を示す。図２における第２行目は、サブキャリア間隔が１５ＫＨＺであって、Ｌ＝８である場合のＳＳ  Ｂｌｏｃｋのタイムスロット分布を示す。図２における第３行目は、サブキャリア間隔が３０ＫＨＺであって、Ｌ＝４である場合のＳＳ  Ｂｌｏｃｋのタイムスロット分布を示す。図２における第４行目は、サブキャリア間隔が３０ＫＨＺであって、Ｌ＝８である場合のＳＳ  Ｂｌｏｃｋのタイムスロット分布を示す。図２の第５行目は、サブキャリア間隔が２４０ＫＨＺであって、Ｌ＝６４である場合のＳＳ  Ｂｌｏｃｋのタイムスロット分布を示す。
【００６４】
図３は、１５ＫＨＺ、３０ＫＨＺ、１２０ＫＨＺ及び２４０ＫＨＺであるサブキャリア間隔におけるタイムスロット内の同期信号ブロックの分布パターンを示す。ここで、図３において、各ブロックは、１つのシンボルを表し（時間領域シンボル、シンボル位置又は時間領域シンボル位置等と称されてもよい）、各行の最初のブロックは、１つのタイムスロットの先頭のシンボルを表し、１４個の連続のシンボルは１つのタイムスロットである。同様な線で充填される４つの連続のシンボルが、同期信号ブロックの１つの候補時間位置であるとすることができる。
【００６５】
ここで、図３における第１行目は、サブキャリア間隔が１５ＫＨＺである場合のタイムスロット内の同期信号ブロックの分布パターンを示す。図３の第２行目及び第３行目は、サブキャリア間隔が３０ＫＨＺである場合のタイムスロット内の同期信号ブロックの分布パターンを示す。図３の第４行目は、サブキャリア間隔が１２０ＫＨＺである場合のタイムスロット内の同期信号ブロックの分布パターンを示す。図３の第５行目は、サブキャリア間隔が２４０ＫＨＺである場合のタイムスロット内の同期信号ブロックの分布パターンを示す。
【００６６】
図３に示すように、１５ＫＨＺ及び３０ＫＨＺのサブキャリア間隔の場合、１４個のシンボルの先頭で、下り制御のために、少なくとも１つ又は２つのシンボルがリザーブされ、末尾で、間隔保護又は上り制御のための少なくとも２つのシンボルがリザーブされる。
【００６７】
１２０ＫＨＺのサブキャリア間隔の場合、１４個のシンボルの先頭で、下り制御のための少なくとも２つのシンボルがリザーブされ、末尾で、間隔保護又は上り制御のための少なくとも２つのシンボルがリザーブされる。
【００６８】
２４０ＫＨＺのサブキャリア間隔の場合、２つの連続のタイムスロットを跨いで、１番目のタイムスロットの先頭で、下り制御のための少なくとも４つのシンボルがリザーブされ、２番目のタイムスロットの末尾で、間隔保護又は上り制御のための少なくとも４つのシンボルがリザーブされる。
【００６９】
ライセンスバンドにおいて、ネットワーク装置は、Ｌ個の候補時間位置のうち、ネットワーク装置がどちらの候補時間位置で端末装置に同期信号ブロックを送信するかを予め端末装置に予め示すことができる。
【００７０】
アンライセンス帯域において、キャリア感知多重アクセス/衝突検出（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ｄｅｔｅｃｔｉｏｎ：ＣＳＭＡ／ＣＤ）及びキャリア感知多重アクセル／衝突回避（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ａｖｏｉｄａｎｃｅ：ＣＳＭＡ／ＣＡ）方法を利用することができる。送信ノードは、無線信号を送信する前に、リッスンビフォートーク（ＬＢＴ：Ｌｉｓｔｅｎ  ｂｅｆｏｒｅ  ｔａｌｋ）メカニズムを利用して、チャネル感知を行い、チャネルが空いているかを判定することができる。
【００７１】
アンライセンス帯域において、ネットワーク装置が端末装置に信号を送信する必要がある場合、アンライセンス帯域におけるキャリアをセンシングする必要がある。具体的に実現する場合、ネットワーク装置は、センシングを行う前に、まず乱数を生成することができ、生成された乱数に対応する時間範囲内において、キャリアがずっと空いていることを検出された場合、信号送信を行うことができる。
【００７２】
従って、アンライセンス帯域において、同期信号ブロックを送信する時に、ネットワーク装置が、どちらの候補時間位置で端末装置に同期信号ブロックを送信するかを端末装置に予め示した場合（特定の候補時間位置が特定の送信ビームに対応する）、ネットワーク装置が、予め示した候補時間位置を競争で占有することができなければ、特定の送信ビームを利用して同期信号ブロックを送信することができない。端末装置は、前記ネットワーク装置により予め示された候補時間位置で、前記特定の送信ビームからの同期信号ブロックを受信することができず、同期や特定のビームの測定等を実現させることができない。従って、本出願の実施例は、前記課題を解決するために、図４に示す方法４００及び図５に示す方法５００を提供する。
【００７３】
図４は、本出願の実施例による信号伝送方法を示す模式的フローチャートである。図４に示す方法は、ネットワーク装置により実行されてもよく、前記ネットワーク装置は図１に示したネットワーク装置１１０であってもよい。図３に示すように、前記信号伝送方法は以下を含む。
【００７４】
ステップ４１０において、ネットワーク装置が、端末装置に同期信号ブロックインデックスを送信する。ここで、前記同期信号ブロックインデックスは、前記ネットワーク装置が同期信号ブロックを送信するためのターゲット時間位置を示すためのものである。
【００７５】
ネットワーク装置は、前記端末装置に同期信号ブロックインデックスを送信することで、端末装置が前記同期信号ブロックインデックスにより示された時間位置に基づいて同期信号ブロックを受信して同期を行うようにする。
【００７６】
ステップ４２０において、前記ネットワーク装置が前記端末装置に前記同期信号ブロックのビームインデックスを送信する。ここで、前記ビームインデックスは、前記ネットワーク装置が前記同期信号ブロックを送信するためのビームを示すためのものである。
【００７７】
具体的には、前記ネットワーク装置は、同期信号ブロックを送信するための、候補となる複数の時間位置において、同期信号ブロックを送信するためのターゲット時間位置を決定した後、依然として同期信号ブロックインデックス（ＳＳ  Ｂｌｏｃｋ  ｉｎｄｅｘ又はＳＳＢ  ｉｎｄｅｘ）によって、前記同期信号ブロックを送信するための前記ターゲット時間位置を端末装置に示す。アンライセンス帯域において同期信号ブロックを送信する時、ネットワーク装置が予め示された候補時間位置が競争で占有できていない場合、特定の送信ビームを利用して同期信号ブロックを送信することができない。従って、ネットワーク装置は、ビームインデックス（ｂｅａｍ  ｉｎｄｅｘ）によって、前記同期信号ブロックを送信するためのビームを端末装置に示すことができる。端末装置は、前記ビームインデックスに基づいて、前記同期信号ブロックを送信するためのビームを知ることができる。これにより、前記ビームに基づいて、移動性測定を行う。
【００７８】
本出願の実施例は、３つのビームインデックス送信方法を提供する。以下、それぞれ説明する。
【００７９】
方法１
任意選択的に、ステップ４２０において、前記ネットワーク装置が前記端末装置に前記同期信号ブロックのビームインデックスを送信することは、前記ネットワーク装置が、前記ターゲット時間位置で前記端末装置に前記同期信号ブロックを送信し、前記同期信号ブロックによって前記ビームインデックスが搬送されことを含む。
【００８０】
前記実施例において、ネットワーク装置は、前記ビームインデックスを同期信号ブロックによって搬送し、前記端末装置は、前記同期信号ブロックを受信すると、前記ビームインデックスを取得することができる。
【００８１】
任意選択的に、前記同期信号ブロックがＰＢＣＨを含み、前記ビームインデックスが、前記ＰＢＣＨの情報フィールドによって搬送される。
【００８２】
例えば、前記ビームインデックスは、前記同期信号ブロックの物理ブロードキャストチャネル（Ｐｈｙｓｉｃａｌ  Ｂｒｏａｄｃａｓｔ  Ｃｈａｎｎｅｌ：ＰＢＣＨ）におけるペイロード（ｐａｙｌｏａｄ）フィールドによって搬送されてもよい。
【００８３】
方法２
任意選択的に、ステップ４２０において、前記ネットワーク装置が前記端末装置に前記同期信号ブロックのビームインデックスを送信することは、前記ネットワーク装置が、前記同期信号ブロックの占用する帯域に隣接する２つの帯域のうちの少なくとも１つの帯域において、前記端末装置に前記ビームインデックスを送信することを含む。
【００８４】
ここで、任意選択的に、前記同期信号ブロックの占用する帯域に隣接する前記２つの帯域の帯域幅が同じである。
【００８５】
任意選択的に、ステップ４２０において、前記ネットワーク装置が、前記同期信号ブロックの占用する帯域に隣接する２つの帯域のうちの少なくとも１つの帯域において、前記端末装置に前記ビームインデックスを送信することは、前記ネットワーク装置が、前記同期信号ブロックの占用する帯域に隣接する２つの帯域のうちの少なくとも１つの帯域において、前記同期信号ブロックの占用する時間領域シンボルのうちの少なくとも１つの時間領域シンボルで、前記端末装置に前記ビームインデックスを送信することを含む。
【００８６】
つまり、前記ビームインデックスは、２つの隣接する帯域のうちの少なくとも１つの帯域を占用し、且つ、前記同期信号ブロックの占用する時間領域シンボルのうちの少なくとも１つの時間領域シンボルを占用することができる。
【００８７】
ここで、任意選択的に、前記少なくとも１つの時間領域シンボルは、前記同期信号ブロックにおいてＰＢＣＨが占用する時間領域シンボルのうちの少なくとも１つの時間領域シンボル、前記同期信号ブロックにおいてプライマリ同期信号（Ｐｒｉｍａｒｙ  Ｓｙｎｃｈｒｏｎｉｚａｔｉｏｎ  Ｓｉｇｎａｌ：ＰＳＳ）が占用する時間領域シンボル、及び前記同期信号ブロックにおいてセカンダリ同期信号（Ｓｅｃｏｎｄａｒｙ  Ｓｙｎｃｈｒｏｎｉｚａｔｉｏｎ  Ｓｉｇｎａｌ：ＳＳＳ）が占用する時間領域シンボルのうちの少なくとも１つを含む。
【００８８】
例えば、図５（ａ）に示すように、前記同期信号ブロックは、ＰＢＣＨ、ＰＳＳ及びＳＳＳを含む。ここで、前記ビームインデックスの占用する帯域は、前記同期信号ブロックの帯域に隣接する１つの帯域を含み、且つ、前記ビームインデックスの占用する時間領域シンボルは、ＰＢＣＨの占用するシンボル及びＰＳＳの占用するシンボルを含む。また、例えば、図５（ｂ）に示すように、前記ビームインデックスの占用する帯域は、前記同期信号ブロックの帯域に隣接する別の帯域を含み、且つ、前記ビームインデックスの占用する時間領域シンボルは、ＰＢＣＨの占用するシンボル及びＰＳＳの占用するシンボルを含む。
【００８９】
図５（ａ）及び図５（ｂ）に示すＰＢＣＨ、ＰＳＳ及びＳＳＳの相対的な時間周波数リソース位置は例示的なものに過ぎず、ＰＢＣＨ、ＰＳＳ及びＳＳＳの占用する時間周波数リソースの例は、例えば図６（ａ）及び図６（ｂ）に示すとおりであってもよい。
【００９０】
方法３
任意選択的に、ステップ４２０において、前記ネットワーク装置が前記端末装置に前記同期信号ブロックのビームインデックスを送信することは、前記ネットワーク装置が、前記同期信号ブロックの占用する時間領域シンボルに隣接する２つの時間領域シンボルのうちの少なくとも１つの時間領域シンボルにおいて、前記端末装置に前記ビームインデックスを送信することを含む。
【００９１】
任意選択的に、ステップ４２０において、前記ネットワーク装置が、前記同期信号ブロックの占用する時間領域シンボルに隣接する２つの時間領域シンボルのうちの少なくとも１つの時間領域シンボルにおいて、前記端末装置に前記ビームインデックスを送信することは、前記ネットワーク装置が、前記同期信号ブロックの占用する時間領域シンボルに隣接する２つの時間領域シンボルのうちの少なくとも１つの時間領域シンボルにおいて、前記同期信号ブロックの占用する帯域のうちの少なくとも１つの帯域で、前記端末装置に前記ビームインデックスを送信することを含む。
【００９２】
つまり、前記ビームインデックスは、前記隣接する２つの時間領域シンボルのうちの少なくとも１つの時間領域シンボルを占用し、同期信号ブロックの帯域に隣接する２つの帯域のうちの少なくとも１つの帯域を占用することができる。
【００９３】
ここで、任意選択的に、前記少なくとも１つの帯域は、前記同期信号ブロックにおいてＰＢＣＨが占用する最大帯域、前記同期信号ブロックにおいてＰＳＳが占用する帯域、及び前記同期信号ブロックにおいてＳＳＳが占用する帯域のうちの少なくとも１つを含む。
【００９４】
例えば、図７（ａ）に示すように、前記同期信号ブロックは、ＰＢＣＨ、ＰＳＳ及びＳＳＳを含む。ここで、前記ビームインデックスの占用する時間領域シンボルは、前記同期信号ブロックの時間領域に隣接する１つの時間領域シンボルを含み、且つ、前記ビームインデックスの占用する帯域は、ＰＳＳの占用する帯域を含む。また、図７（ｂ）に示すように、前記ビームインデックスの占用する時間領域シンボルは、前記同期信号ブロックの時間領域に隣接する別の時間領域シンボルを含み、且つ、前記ビームインデックスの占用する帯域は、ＰＢＣＨの占用する最大帯域を含む。
【００９５】
図７（ａ）及び図７（ｂ）に示すＰＢＣＨ、ＰＳＳ及びＳＳＳの相対的な時間周波数リソース位置は例示的なものに過ぎず、ＰＢＣＨ、ＰＳＳ及びＳＳＳの占用する時間周波数リソースの例は、例えば図８（ａ）及び図８（ｂ）に示すとおりであってもよい。
【００９６】
任意選択的に、本出願の実施例において、前記同期信号ブロックにおいてＰＢＣＨが占用する最大帯域（帯域幅）は２０個のＰＲＢであってもよく、ＰＳＳの占用する帯域（帯域幅）は１２個のＰＲＢであってもよく、ＳＳＳの占用する帯域（帯域幅）は１２個のＰＲＢであってもよい。
【００９７】
図６及び図８を例として、１つの同期信号ブロックの占用する４つのシンボルのうち、１番目のシンボルにおいてＰＳＳ伝送を行い、１２個のＰＲＢを占用する。３番目のシンボルにおいてＳＳＳ伝送を行い、１２個のＰＲＢを占用する。２番目から４番目のシンボルにおいてＰＢＣＨ伝送を行う。ここで、ＰＢＣＨが２番目及び４番目のシンボルにおいて占用する帯域は、２０個のＰＲＢを含み、３番目のシンボルにおいて占用する帯域は、８個のＰＲＢを含み、且つ８個のＰＲＢは、ＳＳＳの帯域の両端に対称に分布し、例えば、図８（ａ）における３番目のシンボルである。２０個のＰＲＢのうち、先頭の４つのＰＲＢはＰＢＣＨ伝送に用いられ、中間の１２個のＰＲＢはＳＳＳ伝送に用いられ、最後の４つのＰＲＢはＰＢＣＨ伝送に用いられる。
【００９８】
任意選択的に、ステップ４１０の前に、即ち、前記ネットワーク装置が端末装置に同期信号ブロックインデックスを送信する前に、前記方法は、前記ネットワーク装置が、前記同期信号ブロックのＭ個の候補時間位置に基づいて、アンライセンス帯域におけるキャリアが空いているか否かをセンシングすることと、前記ネットワーク装置が、センシング結果に基づいて、前記Ｍ個の候補時間位置から前記ターゲット時間位置を決定することとを更に含む。
【００９９】
任意選択的に、前記Ｍ個の候補時間位置は、前記同期信号ブロックのＬ個の候補時間位置のうちの少なくとも一部の候補時間位置であり、前記Ｌ個の候補時間位置は、一つの送信周期内における前記同期信号ブロックの全ての候補時間位置である。
【０１００】
ここで、前記Ｍは１以上の整数である。Ｍが１より大きい場合、Ｍ個の候補時間位置は、連続している複数の候補時間位置であってもよい（即ち、候補時間位置の間に、他の候補時間位置が存在しないことであるが、候補時間位置としてのシンボルが存在しないというわけではない）、例えば、サブキャリア間隔が１５ＫＨＺであり、Ｌ＝４である場合、Ｍ個の候補時間位置は、１つのタイムスロット内の２つの候補時間位置であってもよいし、２つのタイムスロットのうちの前のタイムスロット内の２番目の候補時間位置と、後のタイムスロットの１番目の候補時間位置であってもよい。
【０１０１】
又は、Ｍ個の候補時間位置は、連続しない複数の候補時間位置であってもよい（即ち、候補時間位置の間に、他の候補時間位置が存在してもよい）。例えば、サブキャリア間隔が１５ＫＨＺであって、Ｌ＝４である場合、Ｍ個の候補時間位置は、２つのタイムスロットのうちの前のタイムスロットの１番目の候補時間位置及び後のタイムスロットの１番目の候補時間位置を含んでもよい。
【０１０２】
任意選択的に、前記ネットワーク装置が、前記同期信号ブロックのＭ個の候補時間位置に基づいて、アンライセンス帯域におけるキャリアが空いているか否かをセンシングすることは、前記ネットワーク装置が、Ｎ個の候補時間位置の前で、前記アンライセンス帯域におけるキャリアが空いていることを検出するまで、又は前記Ｍ個の候補時間位置のうちの最後の候補時間位置の前で、前記アンライセンス帯域におけるキャリアをセンシングするまで、前記Ｍ個の候補時間位置のうちの各候補時間位置の前で、前記アンライセンス帯域におけるキャリアが空いているかを順次にセンシングし続け、ここで、Ｎが、ネットワーク装置が所望する前記同期信号送信の候補時間位置の数であり、Ｎが、Ｍ以下の正整数であることを含む。
【０１０３】
例えば、図２及び図３に示すように、サブキャリア間隔が１５ＫＨＺであり、Ｌ＝４である場合、Ｍ＝２であれば、候補時間位置が連続しているかどうかにも拘らず、隣接する候補時間位置の間に、いずれもシンボルが存在するため、Ｍ個の候補時間位置に対してキャリアのセンシングを行う時、候補時間位置の時間順に従って、各候補時間位置の前で、キャリアのセンシングを行うことができる。
【０１０４】
Ｍ個の候補時間位置のうちの隣接する２つの候補時間位置の間にシンボルが存在しない場合（例えば、図３における第２、４及び５行目に示すように、タイムスロット内に連続している候補時間位置が存在する）、前記隣接する２つの候補時間位置のうちの前の候補時間位置で同期信号ブロック送信を行った場合、次の候補時間位置でキャリアのセンシングを行う必要がないことが理解されるべきである。ここで、本出願の実施例に言及した「ネットワーク装置が、Ｎ個の候補時間位置の前で、前記アンライセンス帯域におけるキャリアが空いていることを検出するまで、又は前記Ｍ個の候補時間位置のうちの最後の候補時間位置の前で、前記アンライセンス帯域におけるキャリアをセンシングするまで、前記Ｍ個の候補時間位置のうちの各候補時間位置の前で、前記アンライセンス帯域におけるキャリアが空いているかを順次にセンシングし続けること」という説明は、一般的な場合を考慮したものである。隣接する２つの候補時間位置の間にシンボルが存在せず、しかも前の候補時間位置で同期信号ブロックを送信することによってキャリアのセンシングが不要である場合は、前記説明の保護範囲内に含まれる。
【０１０５】
任意選択的に、前記各候補時間位置の前で、キャリアのセンシングを行う時に、前記ネットワーク装置がセンシングする第１ビーム方向は、第２ビーム方向と一致しており、前記第２ビーム方向が、前記各候補時間位置で前記同期信号ブロックを送信する時の所望のビーム送信方向である。
【０１０６】
具体的には、ネットワーク装置が、ある候補時間位置の前で、キャリアのセンシングを行う時に、前記候補時間位置で同期信号ブロックを送信するために、ビーム方向Ａを利用することが望まれているとした場合、ビーム方向Ａにおいてキャリアのセンシングを行うことができる。
【０１０７】
任意選択的に、前記同期信号ブロックを実際に送信するための候補時間位置が、前記ターゲット時間位置を含む複数の時間位置である場合、複数の候補時間位置のうちのいずれか２つの候補時間位置で前記同期信号ブロックを送信する時に、利用される送信ビームが異なる。
【０１０８】
任意選択的に、前記少なくとも１つの候補時間位置のうちの各候補時間位置の前で、前記ネットワーク装置は、前記いずれもアンライセンス帯域におけるキャリアが空いていることが検出されている。
【０１０９】
任意選択的に、前記ネットワーク装置は、前記同期信号ブロックの送信周期に従って、前記Ｍ個の候補時間位置に基づいて、前記アンライセンス帯域のキャリアに対して周期的にセンシングする。
【０１１０】
対応的に、前記端末装置は、前記送信周期に従って、前記Ｍ個の候補時間位置に基づいて、アンライセンス帯域のキャリアにおいて信号受信を周期的に行う。
【０１１１】
任意選択的に、前記ネットワーク装置が、前記Ｍ個の候補時間位置が前記同期信号ブロックに占用されていると仮定するという方式で、前記同期信号ブロック以外のチャネル又は信号に対してレートマッチングする。
【０１１２】
対応的に、前記端末装置は、前記Ｍ個の候補時間位置が前記同期信号ブロックに占用されていると仮定するという方式で、前記同期信号ブロック以外のチャネル又は信号に対してレートマッチングする。
【０１１３】
具体的には、前記Ｍ個の候補時間位置が、アンライセンス帯域においてプライマリ同期信号ブロックを送信することができる位置であるため、アンライセンス帯域において、ネットワーク装置及び端末装置がレートマッチングを行う時、前記Ｍ個の候補時間位置が前記同期信号ブロックに占用されていると仮定するという方式で、他のチャネル又は信号に対してレートマッチングすることで、レートマッチングの正確性を確保することができる。
【０１１４】
従って、アンライセンス帯域において同期信号ブロックを送信する時に、ネットワーク装置は、ビームインデックス（ｂｅａｍ  ｉｎｄｅｘ）を用いて、前記同期信号ブロックを送信するためのビームを端末装置に示す。それによって、前記ビームインデックスにより示された前記同期信号ブロックの送信用ビームに基づいて関連測定を行うことができる。例えば、各測定周期は、少なくとも１つの送信周期を含んでもよい。端末装置は、複数の測定周期内の複数の送信周期における、同じ送信ビームを有する同期信号ブロックの測定結果を平均化することができる。
【０１１５】
図９は、本出願の実施例による信号伝送方法を示す模式的フローチャートである。図９に示す方法は、端末装置により実行されてもよく、前記端末装置は図１に示した端末装置１２０であってもよい。図９に示すように、前記信号伝送方法は以下を含む。
【０１１６】
ステップ９１０において、端末装置が、ネットワーク装置からの同期信号ブロックインデックスを受信し、前記同期信号ブロックインデックスが、前記ネットワーク装置が同期信号ブロックを送信するためのターゲット時間位置を示すために用いられる。
【０１１７】
ステップ９２０において、前記端末装置が、前記ネットワーク装置からの前記同期信号ブロックのビームインデックスを受信し、前記ビームインデックスが、前記ネットワーク装置が前記同期信号ブロックを送信するためのビームを示すために用いられる。
【０１１８】
端末装置は、上記方式で、ネットワーク装置からの同期信号ブロックのビームインデックスを受信した後、前記ビームインデックスにより示された前記同期信号ブロックの送信ビームに基づいて測定を行うことができる。例えば、移動性測定（例えば、無線リソース管理（Ｒａｄｉｏ  Ｒｅｓｏｕｒｃｅ  Ｍａｎａｇｅｍｅｎｔ：ＲＲＭ）、無線リンクモニタリング（Ｒａｄｉｏ  ｌｉｎｋ  Ｍｏｎｉｔｏｒｉｎｇ：ＲＬＭ）又はビーム管理に関連する測定を行うことができる。
【０１１９】
例えば、各測定周期は、少なくとも１つの送信周期を含んでもよい。端末装置は、少なくとも１つの送信周期における、同じ送信ビームを有する同期信号ブロックの測定結果を平均化することができる。
【０１２０】
また、例えば、各測定周期は、少なくとも１つの送信周期を含んでもよい。端末装置は、複数の測定周期内の複数の送信周期における、同じ送信ビームを有する同期信号ブロックの測定結果を平均化することができる。
【０１２１】
従って、アンライセンス帯域において同期信号ブロックを送信する場合、ネットワーク装置は、ビームインデックス（ｂｅａｍ  ｉｎｄｅｘ）を用いて、前記同期信号ブロックを送信するためのビームを端末装置に示す。従って、前記ビームインデックスにより示された前記同期信号ブロックの送信ビームに基づいて関連測定を行う。例えば、各測定周期は、少なくとも１つの送信周期を含んでもよい。端末装置は、複数の測定周期における複数の送信周期中の同じ送信ビームを有する同期信号ブロックの測定結果を平均化することができる。
【０１２２】
任意選択的に、前記端末装置が、前記ネットワーク装置からの前記同期信号ブロックのビームインデックスを受信することは、前記端末装置が、前記ターゲット時間位置で、前記ネットワーク装置からの前記同期信号ブロックを受信することであって、前記同期信号ブロックによって前記ビームインデックスが搬送されことを含む。
【０１２３】
任意選択的に、前記同期信号ブロックが、物理ブロードキャストチャネル（ＰＢＣＨ）を含み、前記ビームインデックスが、前記ＰＢＣＨの情報フィールドによって搬送される。
【０１２４】
任意選択的に、前記端末装置が、前記ネットワーク装置からの前記同期信号ブロックのビームインデックスを受信することは、前記端末装置が、前記同期信号ブロックの占用する帯域に隣接する２つの帯域のうちの少なくとも１つの帯域において、前記ネットワーク装置からの前記ビームインデックスを受信することを含む。
【０１２５】
任意選択的に、前記同期信号ブロックの占用する帯域に隣接する前記２つの帯域の帯域幅が同じである。
【０１２６】
任意選択的に、前記端末装置が、前記同期信号ブロックの占用する帯域に隣接する２つの帯域のうちの少なくとも１つの帯域において、前記ネットワーク装置からの前記ビームインデックスを受信することは、前記端末装置が、前記同期信号ブロックの占用する帯域に隣接する２つの帯域のうちの少なくとも１つの帯域において、前記同期信号ブロックの占用する時間領域シンボルのうちの少なくとも１つの時間領域シンボルで、前記ネットワーク装置からの前記ビームインデックスを受信することを含む。
【０１２７】
任意選択的に、前記少なくとも１つの時間領域シンボルは、前記同期信号ブロックにおいてＰＢＣＨが占用する時間領域シンボルのうちの少なくとも１つの時間領域シンボル、前記同期信号ブロックにおいてプライマリ同期信号（ＰＳＳ）が占用する時間領域シンボル、及び前記同期信号ブロックにおいてセカンダリ同期信号（ＳＳＳ）が占用する時間領域シンボルのうちの少なくとも１つを含む。
【０１２８】
任意選択的に、前記端末装置が前記ネットワーク装置からの前記同期信号ブロックのビームインデックスを受信することは、前記端末装置が、前記同期信号ブロックの占用する時間領域シンボルに隣接する２つの時間領域シンボルのうちの少なくとも１つの時間領域シンボルにおいて、ネットワーク装置からの前記ビームインデックスを受信することを含む。
【０１２９】
任意選択的に、前記端末装置が、前記同期信号ブロックの占用する時間領域シンボルに隣接する２つの時間領域シンボルのうちの少なくとも１つの時間領域シンボルにおいて、ネットワーク装置からの前記ビームインデックスを受信することは、前記端末装置が、前記同期信号ブロックの占用する時間領域シンボルに隣接する２つの時間領域シンボルのうちの少なくとも１つの時間領域シンボルにおいて、前記同期信号ブロックの占用する帯域のうちの少なくとも１つの帯域で、前記ネットワーク装置からの前記ビームインデックスを受信することを含む。
【０１３０】
任意選択的に、前記少なくとも１つの帯域は、前記同期信号ブロックにおいてＰＢＣＨが占用する最大帯域、前記同期信号ブロックにおいてＰＳＳが占用する帯域、及び前記同期信号ブロックにおいてＳＳＳが占用する帯域のうちの少なくとも１つを含む。
【０１３１】
任意選択的に、前記方法は、端末装置が同期信号ブロックのＭ個の候補時間位置を決定することであって、前記Ｍ個の候補時間位置が、前記同期信号ブロックのＬ個の候補時間位置のうちの少なくとも一部の候補時間位置であり、前記Ｌ個の候補時間位置が、一つの送信周期内における前記同期信号ブロックの全ての候補時間位置であることと、端末装置が、前記Ｍ個の候補時間位置に基づいて、アンライセンス帯域のキャリアにおいて信号受信を行い、Ｍ個の候補時間位置のうちのターゲット時間位置で送信された前記同期信号ブロックを取得することとを更に含む。
【０１３２】
任意選択的に、前記端末装置が前記Ｍ個の候補時間位置に基づいて、アンライセンス帯域のキャリアにおいて信号受信を行うことは、Ｎ個の候補時間位置で同期信号ブロックを取得するまで、又は前記Ｍ個の候補時間位置のうちの最後の候補時間位置で同期信号ブロックを検出するまで、前記アンライセンス帯域のキャリアにおいて、前記Ｍ個の候補時間位置のうちの各候補時間位置で前記同期信号ブロックを順次に検出し続け、ここで、Ｎが、前記ネットワーク装置が所望する前記同期信号送信の候補時間位置の数であり、Ｎが、Ｍ以下の正整数であることを含む。
【０１３３】
任意選択的に、前記端末装置が前記Ｍ個の候補時間位置に基づいて、アンライセンス帯域のキャリアにおいて信号受信を行うことは、前記端末装置が、前記送信周期に従って、前記Ｍ個の候補時間位置に基づいて、アンライセンス帯域のキャリアにおいて信号受信を周期的に行うことを含む。
【０１３４】
任意選択的に、前記方法は、前記端末装置が、前記Ｍ個の候補時間位置が前記同期信号ブロックに占用されていると仮定するという方式で、前記同期信号ブロック以外のチャネル又は信号に対してレートマッチングすることを更に含む。
【０１３５】
端末装置がネットワーク装置からのページングを受信する具体的なプロセスは、上述した図２におけるネットワーク装置に関する説明を参照することができ、説明の便宜のために、ここで詳細な説明を省略することが理解されるべきである。
【０１３６】
なお、本出願の各実施例において、上記各過程に付けた番号の大きさは実行順番を意味しているものではなく、各過程の実行順番はその機能と内部ロジックにより決定されるべき、本発明の実施例の実施過程を限定するものではないと理解されるべきである。
【０１３７】
以上、本出願の実施例によるデータ再送方法を詳しく説明したが、以下、図１０から図１３を参照しつつ、本出願の実施例による装置を説明し、方法の実施例で説明した技術的特徴は以下の装置の実施例に適用される。
【０１３８】
図１０は、本出願の実施例によるネットワーク装置１０００を示す模式的ブロック図である。図１０に示すように、前記ネットワーク装置１０００は、送信ユニット１０１０を備える。ここで、前記送信ユニット１０１０は、端末装置に同期信号ブロックインデックスを送信し、前記同期信号ブロックインデックスが、前記ネットワーク装置が同期信号ブロックを送信するためのターゲット時間位置を示すために用いられ、
前記端末装置に前記同期信号ブロックのビームインデックスを送信し、前記ビームインデックスが、前記ネットワーク装置が前記同期信号ブロックを送信するためのビームを示すために用いられるように構成される。
【０１３９】
従って、アンライセンス帯域において同期信号ブロックを送信する場合、ネットワーク装置は、ビームインデックス（ｂｅａｍ  ｉｎｄｅｘ）を用いて、前記同期信号ブロックを送信するためのビームを端末装置に示す。従って、前記ビームインデックスにより示された前記同期信号ブロックの送信用ビームに基づいて関連測定を行うことができる。例えば、各測定周期は、少なくとも１つの送信周期を含んでもよい。端末装置は、複数の測定周期における複数の送信周期中の同じ送信ビームを有する同期信号ブロックの測定結果を平均化することができる。
【０１４０】
任意選択的に、前記送信ユニット１０１０は具体的には、前記ターゲット時間位置で前記端末装置に前記同期信号ブロックを送信するように構成され、前記同期信号ブロックによって前記ビームインデックスが搬送される。
【０１４１】
任意選択的に、前記同期信号ブロックが、物理ブロードキャストチャネル（ＰＢＣＨ）を含み、前記ビームインデックスが、前記ＰＢＣＨの情報フィールドによって搬送される。
【０１４２】
任意選択的に、前記送信ユニット１０１０は具体的には、前記同期信号ブロックの占用する帯域に隣接する２つの帯域のうちの少なくとも１つの帯域において、前記端末装置に前記ビームインデックスを送信するように構成される。
【０１４３】
任意選択的に、前記同期信号ブロックの占用する帯域に隣接する前記２つの帯域の帯域幅が同じである。
【０１４４】
任意選択的に、前記送信ユニット１０１０は具体的には、前記同期信号ブロックの占用する帯域に隣接する２つの帯域のうちの少なくとも１つの帯域において、前記同期信号ブロックの占用する時間領域シンボルのうちの少なくとも１つの時間領域シンボルで、前記端末装置に前記ビームインデックスを送信するように構成される。
【０１４５】
任意選択的に、前記少なくとも１つの時間領域シンボルは、前記同期信号ブロックにおいてＰＢＣＨが占用する時間領域シンボルのうちの少なくとも１つの時間領域シンボル、前記同期信号ブロックにおいてプライマリ同期信号（ＰＳＳ）が占用する時間領域シンボル、及び前記同期信号ブロックにおいてセカンダリ同期信号（ＳＳＳ）が占用する時間領域シンボルのうちの少なくとも１つを含む。
【０１４６】
任意選択的に、前記送信ユニット１０１０は具体的には、前記同期信号ブロックの占用する時間領域シンボルに隣接する２つの時間領域シンボルのうちの少なくとも１つの時間領域シンボルにおいて、前記端末装置に前記ビームインデックスを送信するように構成される。
【０１４７】
任意選択的に、前記送信ユニット１０１０は具体的には、前記同期信号ブロックの占用する時間領域シンボルに隣接する２つの時間領域シンボルのうちの少なくとも１つの時間領域シンボルにおいて、前記同期信号ブロックの占用する帯域のうちの少なくとも１つの帯域で、前記端末装置に前記ビームインデックスを送信するように構成される。
【０１４８】
任意選択的に、前記少なくとも１つの帯域は、前記同期信号ブロックにおいてＰＢＣＨが占用する最大帯域、前記同期信号ブロックにおいてＰＳＳが占用する帯域、及び前記同期信号ブロックにおいてＳＳＳが占用する帯域のうちの少なくとも１つを含む。
【０１４９】
任意選択的に、前記ネットワーク装置は、前記同期信号ブロックのＭ個の候補時間位置に基づいて、アンライセンス帯域におけるキャリアが空いているか否かをセンシングし、センシング結果に基づいて、前記Ｍ個の候補時間位置から前記ターゲット時間位置を決定するように構成されるセンシングユニットを更に備える。
【０１５０】
任意選択的に、前記Ｍ個の候補時間位置は、前記同期信号ブロックのＬ個の候補時間位置のうちの少なくとも一部の候補時間位置であり、前記Ｌ個の候補時間位置は、一つの送信周期内における前記同期信号ブロックの全ての候補時間位置である。
【０１５１】
前記ネットワーク装置１０００は、方法４００におけるネットワーク装置に対応して、前記方法４００におけるネットワーク装置により実現された操作を実現させることができ、説明の便宜のために、ここで詳細な説明を省略することが理解されるべきである。
【０１５２】
図１１は、本出願の実施例による端末装置１１００を示す模式的ブロック図である。図１１に示すように、前記端末装置１１００は、受信ユニット１１１０を備える。ここで、前記受信ユニット１１１０は、
ネットワーク装置から同期信号ブロックインデックスを受信し、前記同期信号ブロックインデックスが、前記ネットワーク装置が同期信号ブロックを送信するためのターゲット時間位置を示すために用いられ、
前記ネットワーク装置からの前記同期信号ブロックのビームインデックスを受信するように構成され、前記ビームインデックスが、前記ネットワーク装置が前記同期信号ブロックを送信するためのビームを示すために用いられる。
【０１５３】
従って、アンライセンス帯域において同期信号ブロックを送信する場合、ネットワーク装置は、ビームインデックス（ｂｅａｍ  ｉｎｄｅｘ）を用いて、前記同期信号ブロックを送信するためのビームを端末装置に示す。従って、前記ビームインデックスにより示された前記同期信号ブロックの送信ビームに基づいて関連測定を行う。例えば、各測定周期は、少なくとも１つの送信周期を含んでもよい。端末装置は、複数の測定周期における複数の送信周期中の同じ送信ビームを有する同期信号ブロックの測定結果を平均化することができる。
【０１５４】
任意選択的に、前記受信ユニット１１１０は具体的には、前記ターゲット時間位置で、前記ネットワーク装置からの前記同期信号ブロックを受信し、前記同期信号ブロックによって前記ビームインデックスが搬送されように構成される。
【０１５５】
任意選択的に、前記同期信号ブロックが、物理ブロードキャストチャネル（ＰＢＣＨ）を含み、前記ビームインデックスが、前記ＰＢＣＨの情報フィールドによって搬送される。
【０１５６】
任意選択的に、前記受信ユニット１１１０は具体的には、前記同期信号ブロックの占用する帯域に隣接する２つの帯域のうちの少なくとも１つの帯域において、前記ネットワーク装置からの前記ビームインデックスを受信するように構成される。
【０１５７】
任意選択的に、前記同期信号ブロックの占用する帯域に隣接する前記２つの帯域の帯域幅が同じである。
【０１５８】
任意選択的に、前記受信ユニット１１１０は具体的には、前記同期信号ブロックの占用する帯域に隣接する２つの帯域のうちの少なくとも１つの帯域において、前記同期信号ブロックの占用する時間領域シンボルのうちの少なくとも１つの時間領域シンボルで、前記ネットワーク装置からの前記ビームインデックスを受信するように構成される。
【０１５９】
任意選択的に、前記少なくとも１つの時間領域シンボルは、前記同期信号ブロックにおいてＰＢＣＨが占用する時間領域シンボルのうちの少なくとも１つの時間領域シンボル、前記同期信号ブロックにおいてプライマリ同期信号（ＰＳＳ）が占用する時間領域シンボル、及び前記同期信号ブロックにおいてセカンダリ同期信号（ＳＳＳ）が占用する時間領域シンボルのうちの少なくとも１つを含む。
【０１６０】
任意選択的に、前記受信ユニット１１１０は具体的には、前記同期信号ブロックの占用する時間領域シンボルに隣接する２つの時間領域シンボルのうちの少なくとも１つの時間領域シンボルにおいて、ネットワーク装置からの前記ビームインデックスを受信するように構成される。
【０１６１】
任意選択的に、前記受信ユニット１１１０は具体的には、前記同期信号ブロックの占用する時間領域シンボルに隣接する２つの時間領域シンボルのうちの少なくとも１つの時間領域シンボルにおいて、前記同期信号ブロックの占用する帯域のうちの少なくとも１つの帯域で、前記ネットワーク装置からの前記ビームインデックスを受信するように構成される。
【０１６２】
任意選択的に、前記少なくとも１つの帯域は、前記同期信号ブロックにおいてＰＢＣＨが占用する最大帯域、前記同期信号ブロックにおいてＰＳＳが占用する帯域、及び前記同期信号ブロックにおいてＳＳＳが占用する帯域のうちの少なくとも１つを含む。
【０１６３】
任意選択的に、前記端末装置は、同期信号ブロックのＭ個の候補時間位置を決定するように構成される決定ユニットであって、前記Ｍ個の候補時間位置が、前記同期信号ブロックのＬ個の候補時間位置のうちの少なくとも一部の候補時間位置であり、前記Ｌ個の候補時間位置が、一つの送信周期内における前記同期信号ブロックの全ての候補時間位置である決定ユニットを更に備え、
ここで、前記受信ユニット１１１０は更に、前記決定ユニットにより決定された前記Ｍ個の候補時間位置に基づいて、アンライセンス帯域のキャリアにおいて信号受信を行い、Ｍ個の候補時間位置のうちのターゲット時間位置で送信された前記同期信号ブロックを取得するように構成される。
【０１６４】
前記端末装置１１００は、方法５００における端末装置に対応して、前記方法５００における端末装置により実現された操作を実現させることができ、説明の便宜のために、ここで詳細な説明を省略することが理解されるべきである。
【０１６５】
図１２は、本出願の実施例による通信装置１２００を示す模式的構成図である。図１２に示すように、前記通信装置は、プロセッサ１２１０と、送受信機１２２０と、メモリ１２３０とを備え、前記プロセッサ１２１０、送受信機１２２０及びメモリ１２３０は、内部接続通路を介して相互通信する。前記メモリ１２３０は、命令を記憶するためのものであり、前記プロセッサ１２１０は、前記メモリ１２３０に記憶されている命令を実行し、前記送受信機１２２０による信号の送受信を制御するためのものである。
【０１６６】
任意選択的に、前記プロセッサ１２１０は、メモリ１２３０に記憶されているプログラムコードを呼び出して、方法の実施例におけるネットワーク装置により実行される方法４００に対応する操作を実行することができ、説明の便宜のために、ここで詳細な説明を省略する。
【０１６７】
任意選択的に、前記プロセッサ１２１０は、メモリ１２３０に記憶されているプログラムコードを呼び出して、方法の実施例における端末装置により実行される方法５００に対応する操作を実行することができ、説明の便宜のために、ここで詳細な説明を省略する。
【０１６８】
本出願の実施例におけるプロセッサは、信号処理能力を持つ集積回路チップであってもよく、実現プロセスにおいて、上記方法の実施例における各ステップは、プロセッサにおけるハードウェアの集積論理回路又はソフトウェアの形の命令により完成することができることが理解されるべきである。上記プロセッサは、汎用プロセッサ、デジタル信号プロセッサ（Ｄｉｇｉｔａｌ  Ｓｉｇｎａｌ  Ｐｒｏｃｅｓｓｏｒ：ＤＳＰ）、特定用途向け集積回路（Ａｐｐｌｉｃａｔｉｏｎ  Ｓｐｅｃｉｆｉｃ  Ｉｎｔｅｒｇｒａｔｅｄ  Ｃｉｒｃｕｉｔ：ＡＳＩＣ）、現場でプログラム可能なゲートアレイ（Ｆｉｅｌｄ  Ｐｒｏｇｒａｍｍａｂｌｅ  Ｇａｔｅ  Ａｒｒａｙ：ＦＰＧＡ）又は他のプログラマブルロジックデバイス、ディスクリートゲート又はトランジスタロジックデバイス、ディスクリートハードウェアコンポーネント等であってもよい。本出願の実施例に開示されている各方法、ステップ及び論理ブロック図を実現又は実行することができる。汎用プロセッサはマイクロプロセッサであってもよいし、前記プロセッサは如何なる従来のプロセッサ等であってもよい。本出願の実施例に開示されている方法のステップを結合して、ハードウェア解読プロセッサによって完成し、又は解読プロセッサ内のハードウェアとソフトウェアモジュールとの組み合わせで実行して完成するように示す。ソフトウェアモジュールは、ランダムアクセスメモリ、フラッシュメモリ、読み取り専用メモリ、プログラマブル読み取り専用メモリ又は電気的消去プログラム可能なメモリ、レジスタ等の本分野の従来の記憶媒体内に存在してもよい。前記記憶媒体はメモリ内に位置し、プロセッサはメモリ中の情報を読み取り、そのハードウェアと共に上記方法のプロセスを完了する。
【０１６９】
本出願の実施例におけるメモリは、揮発性または不揮発性メモリであってもよいし、揮発性メモリと不揮発性メモリの両者をそなえてもよい。ここで、不揮発性メモリは、読み出し専用メモリ（Ｒｅａｄ-ｏｎｌｙ Ｍｅｍｏｒｙ：ＲＯＭ）、プログラマブル読み出し専用メモリ（Ｐｒｏｇｒａｍｍａｂｌｅ  ＲＯＭ：ＰＲＯＭ）、消去可能なプログラマブル読み出し専用メモリ（Ｅｒａｓａｂｌｅ  ＰＲＯＭ：ＥＰＲＯＭ）、電気的消去可能なプログラマブル読み出し専用メモリ（Ｅｌｅｃｔｒｉｃａｌｌｙ  ＥＰＲＯＭ：ＥＥＰＲＯＭ）又はフラッシュメモリであってもよい。揮発性メモリは、外部キャッシュメモリとして機能するランダムアクセスメモリ（Ｒａｎｄｏｍ  Ａｃｃｅｓｓ  Ｍｅｍｏｒｙ：ＲＡＭ）であってもよい。非限定的な例証として、ＲＡＭは、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲ  ＳＤＲＡＭ）、エンハンスト同期ダイナミックランダムアクセスメモリ（Ｅｎｈａｎｃｅｄ  ＳＤＲＡＭ：ＥＳＤＲＡＭ）、同期リンクダイナミックランダムアクセスメモリ（Ｓｙｎｃｈｌｉｎｋ  ＤＲＡＭ：ＳＬＤＲＡＭ）及びダイレクトラムバスランダムアクセスメモリ（Ｄｉｒｅｃｔ  Ｒａｍｂｕｓ  ＲＡＭ：ＤＲ  ＲＡＭ）などの多数の形態で使用可能である。本明細書に記載されているシステム及び方法におけるメモリは、これら及び任意の他の適切な形態のメモリを含むが、これらに限定されないことに留意されたい。
【０１７０】
図１３は本出願の実施例のシステムシステムオンチップを示す模式的構成図である。図１３のシステムオンチップ１３００は入力インタフェース１３０１と、出力インタフェース１３０２と、少なくとも１つのプロセッサ１３０３と、メモリ１３０４と、を備え、前記入力インタフェース１３０１、出力インタフェース１３０２、前記プロセッサ１３０３及びメモリ１３０４は内部接続通路を介して相互接続する。前記プロセッサ１３０３は、前記メモリ１３０４におけるコードを実行するためのものである。
【０１７１】
任意選択的に、前記コードが実行される時、前記プロセッサ１３０３は方法の実施例におけるネットワーク装置により実行される方法４００を実現させることができる。説明の便宜のために、ここで詳細な説明を省略する。
【０１７２】
任意選択的に、前記コードが実行される時、前記プロセッサ１３０３は方法の実施例における端末装置により実行される方法４００を実現させることができる。説明の便宜のために、ここで詳細な説明を省略する。
【０１７３】
本発明の実施例において、「Ａに対応するＢ」は、ＢとＡが関連付けられており、Ａに基づいてＢを決定することができることを表すことが理解されるべきである。なお、Ａに基づいてＢを決定することは、Ａのみに基づいてＢを決定することを意味しておらず、Ａ及び／又は他の情報に基づいてＢを決定することもできることを意味することが理解されるべきである。
【０１７４】
本明細書において、用語「及び／又は」は、関連対象の関連関係を説明するためのものであり、３通りの関係が存在することを表す。例えば、Ａ及び／又はＢは、Ａのみが存在すること、ＡとＢが同時に存在すること、Ｂのみが存在するという３つの場合を表す。また、本明細書において、文字「／」は、一般的に、前後の関連対象が、「又は」の関係であることを表す。
【０１７５】
当業者であれば、本明細書に開示されている実施例に関係して記載された種々の例示的なユニット及びアルゴリズムステップは、電子ハードウエア、又はコンピュータソフトウエアと電子ハードウエアとの組み合わせとして実現されることが理解され得る。ハードウェアとソフトウェアとのどちらで、これらの機能を実行するかは、技術的解決手段の特定の応用及び設計上の制限条件により決められる。当業者は、特定の用途毎に記載の機能を実現するために異なる方法を使用してもよいが、この実現が本発明の範囲を超えるものとして考えられるべきではない。
【０１７６】
説明上の便宜及び簡素化を図るために、上記説明されたシステム、装置及びユニットの具体的な作動過程は、前記方法の実施例における対応した過程を参照することができるから、ここで詳しく説明しないようにすることは、当業者にはっきり理解されるべきである。
【０１７７】
本発明で提供する幾つかの実施例で開示したシステム、装置及び方法は、他の方式によって実現できることを理解すべきである。例えば、以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよいし、別のシステムに組み込んでもよい。又は若干の特徴を無視してもよいし、実行しなくてもよい。また、示したか或いは検討した相互間の結合又は直接的な結合又は通信接続は、幾つかのインターフェイス、装置又はユニットによる間接的な結合又は通信接続であってもよく、電気的、機械的または他の形態であってもよい。
【０１７８】
分離部材として説明した前記ユニットは、物理的に別個のものであってもよいし、そうでなくてもよい。ユニットとして示された部材は、物理的ユニットであってもよいし、そうでなくてもよい。即ち、同一の位置に位置してもよいし、複数のネットワークに分布してもよい。実際の需要に応じてそのうちの一部又は全てのユニットにより本実施例の方策の目的を実現することができる。
【０１７９】
また、本発明の各実施例における各機能ユニットは一つのモニタリングユニットに集積されてもよいし、各ユニットが物理的に別個のものとして存在してもよいし、２つ以上のユニットが一つのユニットに集積されてもよい。
【０１８０】
前記機能はソフトウェア機能ユニットの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は前記技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、Ｕディスク、リムーバブルハードディスク、読み出し専用メモリ（Ｒｅａｄ−ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、ディスク、又は光ディスクなど、プログラムコードを記憶可能な各種の媒体を含む。
【０１８１】
以上は本発明の具体的な実施形態に過ぎず、本発明の保護の範囲はそれらに制限されるものではなく、当業者が本発明に開示された技術範囲内で容易に想到しうる変更や置換はいずれも、本発明の保護範囲内に含まれるべきである。従って、本発明の保護範囲は特許請求の範囲の保護範囲を基準とするべきである。
【図１】
2021514560.tif 000003
【図２】
2021514560.tif 000004
【図３】
2021514560.tif 000005
【図４】
2021514560.tif 000006
【図５】
2021514560.tif 000007
【図６】
2021514560.tif 000008
【図７】
2021514560.tif 000009
【図８】
2021514560.tif 000010
【図９】
2021514560.tif 000011
【図１０】
2021514560.tif 000012
【図１１】
2021514560.tif 000013
【図１２】
2021514560.tif 000014
【図１３】
2021514560.tif 000015
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
信号伝送方法であって、
ネットワーク装置が、端末装置に同期信号ブロックインデックスを送信することであって、前記同期信号ブロックインデックスが、前記ネットワーク装置が同期信号ブロックを送信するためのターゲット時間位置を示すために用いられることと、
前記ネットワーク装置が、前記端末装置に前記同期信号ブロックのビームインデックスを送信することであって、前記ビームインデックスが、前記ネットワーク装置が前記同期信号ブロックを送信するためのビームを示すために用いられることとを含む、前記方法。
【請求項２】
前記ネットワーク装置が前記端末装置に前記同期信号ブロックのビームインデックスを送信することは、
前記ネットワーク装置が、前記ターゲット時間位置で前記端末装置に前記同期信号ブロックを送信することであって、前記同期信号ブロックによって前記ビームインデックスが搬送されことを含むことを特徴とする
請求項１に記載の方法。
【請求項３】
前記同期信号ブロックが、物理ブロードキャストチャネル（ＰＢＣＨ）を含み、前記ビームインデックスが、前記ＰＢＣＨの情報フィールドによって搬送されることを特徴とする
請求項２に記載の方法。
【請求項４】
前記ネットワーク装置が端末装置に同期信号ブロックインデックスを送信する前に、前記方法は、
前記ネットワーク装置が、前記同期信号ブロックのＭ個の候補時間位置に基づいて、アンライセンス帯域におけるキャリアが空いているか否かをセンシングすることと、
前記ネットワーク装置が、センシング結果に基づいて、前記Ｍ個の候補時間位置から前記ターゲット時間位置を決定することとを更に含むことを特徴とする
請求項１から３のうちいずれか一項に記載の方法。
【請求項５】
前記Ｍ個の候補時間位置は、前記同期信号ブロックのＬ個の候補時間位置のうちの少なくとも一部の候補時間位置であり、前記Ｌ個の候補時間位置は、一つの送信周期内における前記同期信号ブロックの全ての候補時間位置であることを特徴とする
請求項４に記載の方法。
【請求項６】
信号伝送方法であって、
端末装置が、ネットワーク装置からの同期信号ブロックインデックスを受信することであって、前記同期信号ブロックインデックスが、前記ネットワーク装置が同期信号ブロックを送信するためのターゲット時間位置を示すために用いられることと、
前記端末装置が、前記ネットワーク装置からの前記同期信号ブロックのビームインデックスを受信することであって、前記ビームインデックスが、前記ネットワーク装置が前記同期信号ブロックを送信するためのビームを示すために用いられることとを含む、前記方法。
【請求項７】
前記端末装置が、前記ネットワーク装置からの前記同期信号ブロックのビームインデックスを受信することは、
前記端末装置が、前記ターゲット時間位置で、前記ネットワーク装置からの前記同期信号ブロックを受信することであって、前記同期信号ブロックによって前記ビームインデックスが搬送されことを含むことを特徴とする
請求項６に記載の方法。
【請求項８】
前記同期信号ブロックが、物理ブロードキャストチャネル（ＰＢＣＨ）を含み、前記ビームインデックスが、前記ＰＢＣＨの情報フィールドによって搬送されることを特徴とする
請求項７に記載の方法。
【請求項９】
前記方法は、
端末装置が同期信号ブロックのＭ個の候補時間位置を決定することであって、前記Ｍ個の候補時間位置が、前記同期信号ブロックのＬ個の候補時間位置のうちの少なくとも一部の候補時間位置であり、前記Ｌ個の候補時間位置が、一つの送信周期内における前記同期信号ブロックの全ての候補時間位置であることと、
端末装置が、前記Ｍ個の候補時間位置に基づいて、アンライセンス帯域のキャリアにおいて信号受信を行い、Ｍ個の候補時間位置のうちのターゲット時間位置で送信された前記同期信号ブロックを取得することとを更に含むことを特徴とする
請求項６から８のうちいずれか一項に記載の方法。
【請求項１０】
ネットワーク装置であって、
端末装置に同期信号ブロックインデックスを送信するように構成される送信ユニットであって、前記同期信号ブロックインデックスが、前記ネットワーク装置が同期信号ブロックを送信するためのターゲット時間位置を示すために用いられる送信ユニットを備え、
前記送信ユニットは更に、前記端末装置に前記同期信号ブロックのビームインデックスを送信するように構成され、前記ビームインデックスが、前記ネットワーク装置が前記同期信号ブロックを送信するためのビームを示すために用いられる、前記ネットワーク装置。
【請求項１１】
前記送信ユニットは具体的には、
前記ターゲット時間位置で前記端末装置に前記同期信号ブロックを送信するように構成され、前記同期信号ブロックによって前記ビームインデックスが搬送されることを特徴とする
請求項１０に記載のネットワーク装置。
【請求項１２】
前記同期信号ブロックが、物理ブロードキャストチャネル（ＰＢＣＨ）を含み、前記ビームインデックスが、前記ＰＢＣＨの情報フィールドによって搬送されることを特徴とする
請求項１１に記載のネットワーク装置。
【請求項１３】
前記ネットワーク装置は、
前記同期信号ブロックのＭ個の候補時間位置に基づいて、アンライセンス帯域におけるキャリアが空いているか否かをセンシングし、
センシング結果に基づいて、前記Ｍ個の候補時間位置から前記ターゲット時間位置を決定するように構成されるセンシングユニットを更に備えることを特徴とする
請求項１０から１２のうちいずれか一項に記載のネットワーク装置。
【請求項１４】
前記Ｍ個の候補時間位置は、前記同期信号ブロックのＬ個の候補時間位置のうちの少なくとも一部の候補時間位置であり、前記Ｌ個の候補時間位置は、一つの送信周期内における前記同期信号ブロックの全ての候補時間位置であることを特徴とする
請求項１３に記載のネットワーク装置。
【請求項１５】
端末装置であって、
ネットワーク装置からの同期信号ブロックインデックスを受信するように構成される受信ユニットであって、前記同期信号ブロックインデックスが、前記ネットワーク装置が同期信号ブロックを送信するためのターゲット時間位置を示すために用いられる受信ユニットを備え、
前記受信ユニットは更に、前記ネットワーク装置からの前記同期信号ブロックのビームインデックスを受信するように構成され、前記ビームインデックスが、前記ネットワーク装置が前記同期信号ブロックを送信するためのビームを示すために用いられる、前記端末装置。
【請求項１６】
前記受信ユニットは具体的には、
前記ターゲット時間位置で、前記ネットワーク装置からの前記同期信号ブロックを受信し、前記同期信号ブロックによって前記ビームインデックスが搬送されように構成されることを特徴とする
請求項１５に記載の端末装置。
【請求項１７】
前記同期信号ブロックが、物理ブロードキャストチャネル（ＰＢＣＨ）を含み、前記ビームインデックスが、前記ＰＢＣＨの情報フィールドによって搬送されることを特徴とする
請求項１６に記載の端末装置。
【請求項１８】
前記端末装置は、
同期信号ブロックのＭ個の候補時間位置を決定するように構成される決定ユニットであって、前記Ｍ個の候補時間位置が、前記同期信号ブロックのＬ個の候補時間位置のうちの少なくとも一部の候補時間位置であり、前記Ｌ個の候補時間位置が、一つの送信周期内における前記同期信号ブロックの全ての候補時間位置である決定ユニットを更に備え、
ここで、前記受信ユニットは更に、前記決定ユニットにより決定された前記Ｍ個の候補時間位置に基づいて、アンライセンス帯域のキャリアにおいて信号受信を行い、Ｍ個の候補時間位置のうちのターゲット時間位置で送信された前記同期信号ブロックを取得するように構成されることを特徴とする
請求項１５から１７のうちいずれか一項に記載の端末装置。
【国際調査報告】
2021514560.tif 000016
2021514560.tif 000017
2021514560.tif 000018
2021514560.tif 000019